(57)【特許請求の範囲】
【請求項１】
第１のデバイスツーデバイス（Ｄ２Ｄ）デバイスにより、第１の伝送電力で第２のＤ２Ｄデバイスに第１のメッセージを送信する段階であって、前記第１のメッセージは、前記第１のＤ２Ｄデバイスの期待されるカバレッジ性能に関する情報を運ぶ、段階と、
前記第１のＤ２Ｄデバイスにより、前記第２のＤ２Ｄデバイスにより送信された第２のメッセージを受信する段階であって、前記第２のメッセージは、前記期待されるカバレッジ性能に対する、前記第２のＤ２Ｄデバイスに対する前記第１のＤ２Ｄデバイスの実際のカバレッジ性能のカバレッジ比率を運ぶ、段階と、
前記第１のＤ２Ｄデバイスにより、前記カバレッジ比率に従って、前記期待されるカバレッジ性能と前記実際のカバレッジ性能とが一致する第２の伝送電力となるように前記第１のメッセージの伝送電力を調整する段階と
を備え、
前記期待されるカバレッジ性能は、期待されるカバレッジ距離、期待される受信レベル、又は期待される受信信号対干渉雑音比のうちのいずれか1つを含み、
前記実際のカバレッジ性能は、実際のカバレッジ距離、実際の受信レベル、又は実際の受信信号対干渉雑音比のうちのいずれか1つを含む、電力制御方法。
【請求項２】
前記期待されるカバレッジ性能が、期待されるカバレッジ距離である場合、前記第１のメッセージは、前記第２のＤ２Ｄデバイスに前記第１のＤ２Ｄデバイスと前記第２のＤ２Ｄデバイスとの距離を取得させるために、前記第１のＤ２Ｄデバイスの位置情報をさらに有する、請求項１に記載の電力制御方法。
【請求項３】
前記第２のメッセージは、ネットワークデバイスにより前記第２のＤ２Ｄデバイスに指示される時間‐周波数リソース上で、前記第２のＤ２Ｄデバイスにより前記第１のＤ２Ｄデバイスに送信される、請求項１又は２に記載の電力制御方法。
【請求項４】
前記第１のＤ２Ｄデバイスは、複数の第２のＤ２Ｄデバイスに前記第１のメッセージをブロードキャストし、前記第２のメッセージは、前記ネットワークデバイスのフィードバックリソースプール内の競合によって取得した時間‐周波数リソース上で、前記第２のＤ２Ｄデバイスにより前記ネットワークデバイスに送信され、前記第２のＤ２Ｄデバイスは、前記フィードバックリソースプール内の時間‐周波数リソースを競合する前記複数の第２のＤ２Ｄデバイスの中で、前記時間‐周波数リソースを競合によって最初に取得する、請求項３に記載の電力制御方法。
【請求項５】
第１のＤ２Ｄデバイスにより、第１の伝送電力で第２のＤ２Ｄデバイスに第１のメッセージを前記送信する段階の前に、前記電力制御方法は、
前記第１のＤ２Ｄデバイスにより、前記ネットワークデバイスにより前記第１のＤ２Ｄデバイスに指示される時間‐周波数リソース指示メッセージを受信する段階であって、前記時間‐周波数リソース指示メッセージは、時間‐周波数リソースの位置に関する情報を有する、段階をさらに備え、
第１のＤ２Ｄデバイスにより、第１の伝送電力で第２のＤ２Ｄデバイスに第１のメッセージを前記送信する段階は、
前記第１のＤ２Ｄデバイスにより、前記時間‐周波数リソースの前記位置に対応する時間‐周波数リソース上において、前記第１の伝送電力で前記第２のＤ２Ｄデバイスに前記第１のメッセージを送信する段階を有する、請求項３又は４に記載の電力制御方法。
【請求項６】
前記第１のＤ２Ｄデバイスにより、前記カバレッジ比率に従って第２の伝送電力となるように前記第１のメッセージの伝送電力を前記調整する段階は、
前記第１のＤ２Ｄデバイスにより、前記カバレッジ比率に従って伝送電力調整段階を決定する段階と、
前記第１のＤ２Ｄデバイスにより、前記伝送電力調整段階に従って前記第２の伝送電力を取得し、前記第２の伝送電力で前記第１のメッセージを送信する段階であって、前記第２の伝送電力は、前記第１のＤ２Ｄデバイスの最大定格伝送電力と、前記第１の伝送電力及び伝送電力調整段階値の合計とのうち小さい方の電力値である、段階と
を有する、請求項１から５のいずれか一項に記載の電力制御方法。
【請求項７】
第２のデバイスツーデバイス（Ｄ２Ｄ）デバイスにより、第１の伝送電力で第１のＤ２Ｄデバイスにより送信された第１のメッセージを受信する段階であって、前記第１のメッセージは、前記第１のＤ２Ｄデバイスの期待されるカバレッジ性能に関する情報を運ぶ、段階と、
前記第２のＤ２Ｄデバイスにより、前記第２のＤ２Ｄデバイスに対する前記第１のＤ２Ｄデバイスの実際のカバレッジ性能を取得する段階と、
前記第２のＤ２Ｄデバイスにより、前記第１のＤ２Ｄデバイスに第２のメッセージを送信する段階であって、前記第２のメッセージは、前記期待されるカバレッジ性能に対する前記実際のカバレッジ性能のカバレッジ比率を運ぶ、段階と
を備え、
前記期待されるカバレッジ性能は、期待されるカバレッジ距離、期待される受信レベル、又は期待される受信信号対干渉雑音比のうちのいずれか1つを含み、
前記実際のカバレッジ性能は、実際のカバレッジ距離、実際の受信レベル、又は実際の受信信号対干渉雑音比のうちのいずれか1つを含む、電力制御方法。
【請求項８】
前記期待されるカバレッジ性能が、期待されるカバレッジ距離である場合、前記第１のメッセージは前記第１のＤ２Ｄデバイスの位置情報をさらに有し、前記第２のＤ２Ｄデバイスにより、前記第２のＤ２Ｄデバイスに対する前記第１のＤ２Ｄデバイスの実際のカバレッジ性能を取得する前記段階は、前記第２のＤ２Ｄデバイスにより、前記第１のＤ２Ｄデバイスの前記位置情報と前記第２のＤ２Ｄデバイスの位置情報とに基づいて、前記第１のＤ２Ｄデバイスと前記第２のＤ２Ｄデバイスとの距離を取得することを含む、請求項７に記載の電力制御方法。
【請求項９】
前記第２のＤ２Ｄデバイスにより、前記第１のＤ２Ｄデバイスに第２のメッセージを前記送信する段階の前に、前記電力制御方法は、
前記第２のＤ２Ｄデバイスにより、ネットワークデバイスにより送信された時間‐周波数リソース指示メッセージを取得する段階であって、前記時間‐周波数リソース指示メッセージは、前記第２のメッセージが送信される時間‐周波数リソース上の位置に関する情報を有する、段階をさらに備え、
前記第２のＤ２Ｄデバイスにより、前記第１のＤ２Ｄデバイスに第２のメッセージを前記送信する段階は、
前記第２のＤ２Ｄデバイスにより、前記時間‐周波数リソースの前記位置に対応する時間‐周波数リソース上で、前記第１のＤ２Ｄデバイスに前記第２のメッセージを送信する段階を有する、請求項７又は８に記載の電力制御方法。
【請求項１０】
前記第１のＤ２Ｄデバイスにより送信された前記第１のメッセージを別のＤ２Ｄデバイスも受信し、前記第２のメッセージが送信される前記時間‐周波数リソース上の前記位置に関する前記情報は、前記第２のメッセージが送信される少なくとも１つの時間‐周波数リソース上の位置に関する情報であり、前記第２のメッセージが送信される前記時間‐周波数リソース上の前記位置はフィードバックリソースプールを構成し、
前記電力制御方法は、
前記第２のＤ２Ｄデバイスにより、前記フィードバックリソースプール内の前記時間‐周波数リソースの前記位置を前記別のＤ２Ｄデバイスと競合する段階をさらに備え、
前記第２のＤ２Ｄデバイスにより、前記第１のＤ２Ｄデバイスに第２のメッセージを前記送信する段階は、
前記第２のＤ２Ｄデバイスにより、競合によって取得した前記時間‐周波数リソースの前記位置に対応する時間‐周波数リソース上で、前記第１のＤ２Ｄデバイスに前記第２のメッセージを送信する段階を有する、請求項９に記載の電力制御方法。
【請求項１１】
前記第２のＤ２Ｄデバイスにより、前記フィードバックリソースプール内の前記時間‐周波数リソースの前記位置を前記別のＤ２Ｄデバイスと前記競合する段階は、
前記第２のＤ２Ｄデバイスにより、前記フィードバックリソースプール内の前記時間‐周波数リソースを競合するためにタイマを設定する段階であって、前記タイマのタイミング値は、独立変数が前記カバレッジ比率を表す単調減少関数の値である、段階と、
前記第２のＤ２Ｄデバイスにより、前記別のＤ２Ｄデバイスとともに一斉に時間を測定することを開始して、前記フィードバックリソースプール内の前記時間‐周波数リソースの前記位置を競合する段階であって、前記別のＤ２Ｄデバイスも前記タイマを設定する、段階と、
前記第２のＤ２Ｄデバイスにより設定された前記タイマが最初に満了した場合に、競合によって前記第２のＤ２Ｄデバイスにより、前記フィードバックリソースプール内の前記時間‐周波数リソースを取得する段階と
を有する、請求項１０に記載の電力制御方法。
【請求項１２】
送信ユニット、受信ユニット、及び処理ユニットを備える第１のデバイスツーデバイス（Ｄ２Ｄ）デバイスであって、
前記送信ユニットは、第１の伝送電力で第２のＤ２Ｄデバイスに第１のメッセージを送信し、前記第１のメッセージは、前記第１のＤ２Ｄデバイスの期待されるカバレッジ性能に関する情報を運び、
前記受信ユニットは、前記第２のＤ２Ｄデバイスにより送信された第２のメッセージを受信し、前記第２のメッセージは、前記期待されるカバレッジ性能に対する、前記第２のＤ２Ｄデバイスに対する前記第１のＤ２Ｄデバイスの実際のカバレッジ性能のカバレッジ比率を運び、
前記処理ユニットは、前記カバレッジ比率に従って、前記期待されるカバレッジ性能と前記実際のカバレッジ性能とが一致する第２の伝送電力となるように前記第１のメッセージの伝送電力を調整し、
前記期待されるカバレッジ性能は、期待されるカバレッジ距離、期待される受信レベル、又は期待される受信信号対干渉雑音比のうちのいずれか1つを含み、
前記実際のカバレッジ性能は、実際のカバレッジ距離、実際の受信レベル、又は実際の受信信号対干渉雑音比のうちのいずれか1つを含む、第１のＤ２Ｄデバイス。
【請求項１３】
前記期待されるカバレッジ性能が、期待されるカバレッジ距離である場合、前記第１のメッセージは、前記第２のＤ２Ｄデバイスに前記第１のＤ２Ｄデバイスと前記第２のＤ２Ｄデバイスとの距離を取得させるために、前記第１のＤ２Ｄデバイスの位置情報をさらに有する、請求項１２に記載の第１のＤ２Ｄデバイス。
【請求項１４】
前記第２のメッセージは、ネットワークデバイスにより前記第２のＤ２Ｄデバイスに指示される時間‐周波数リソース上で、前記第２のＤ２Ｄデバイスにより前記第１のＤ２Ｄデバイスに送信される、請求項１２又は１３に記載の第１のＤ２Ｄデバイス。
【請求項１５】
前記送信ユニットは、複数の第２のＤ２Ｄデバイスに前記第１のメッセージをブロードキャストし、前記第２のメッセージは、前記ネットワークデバイスのフィードバックリソースプール内の競合によって取得した時間‐周波数リソース上で、前記第２のＤ２Ｄデバイスにより前記第１のＤ２Ｄデバイスに送信され、前記第２のＤ２Ｄデバイスは、前記フィードバックリソースプール内の時間‐周波数リソースを競合する前記複数の第２のＤ２Ｄデバイスの中で、前記時間‐周波数リソースを競合によって最初に取得する、請求項１４に記載の第１のＤ２Ｄデバイス。
【請求項１６】
前記受信ユニットは、さらに、前記ネットワークデバイスにより前記第１のＤ２Ｄデバイスに指示される時間‐周波数リソース指示メッセージを受信し、前記時間‐周波数リソース指示メッセージは、時間‐周波数リソースの位置に関する情報を有し、
前記送信ユニットが、第１の伝送電力で第２のＤ２Ｄデバイスに第１のメッセージを送信することは、
前記時間‐周波数リソースの前記位置に対応する時間‐周波数リソース上において、前記第１の伝送電力で前記第２のＤ２Ｄデバイスに前記第１のメッセージを送信することを有する、請求項１４又は１５に記載の第１のＤ２Ｄデバイス。
【請求項１７】
前記処理ユニットが、前記カバレッジ比率に従って第２の伝送電力となるように前記第１のメッセージの伝送電力を前記調整することは、
前記カバレッジ比率に従って伝送電力調整段階を決定することと、
前記伝送電力調整段階に従って前記第２の伝送電力を取得し、前記第２の伝送電力で前記第１のメッセージを送信することとを有し、前記第２の伝送電力は、前記第１のＤ２Ｄデバイスの最大定格伝送電力と、前記第１の伝送電力及び伝送電力調整段階値の合計とのうち小さい方の電力値である、請求項１２から１６のいずれか一項に記載の第１のＤ２Ｄデバイス。
【請求項１８】
受信ユニット、処理ユニット、及び送信ユニットを備える第２のデバイスツーデバイス（Ｄ２Ｄ）デバイスであって、
前記受信ユニットは、第１の伝送電力で第１のＤ２Ｄデバイスにより送信された第１のメッセージを受信し、前記第１のメッセージは、前記第１のＤ２Ｄデバイスの期待されるカバレッジ性能に関する情報を運び、
前記処理ユニットは、前記第２のＤ２Ｄデバイスに対する前記第１のＤ２Ｄデバイスの実際のカバレッジ性能を取得し、
前記送信ユニットは、前記第１のＤ２Ｄデバイスに第２のメッセージを送信し、前記第２のメッセージは、前記期待されるカバレッジ性能に対する前記実際のカバレッジ性能のカバレッジ比率を運び、
前記期待されるカバレッジ性能は、期待されるカバレッジ距離、期待される受信レベル、又は期待される受信信号対干渉雑音比のうちのいずれか1つを含み、
前記実際のカバレッジ性能は、実際のカバレッジ距離、実際の受信レベル、又は実際の受信信号対干渉雑音比のうちのいずれか1つを含む、第２のＤ２Ｄデバイス。
【請求項１９】
前記期待されるカバレッジ性能が、期待されるカバレッジ距離である場合、前記第１のメッセージは前記第１のＤ２Ｄデバイスの位置情報をさらに有し、前記処理ユニットは、前記第１のＤ２Ｄデバイスの位置情報と前記第２のＤ２Ｄデバイスの位置情報とに基づいて、前記第１のＤ２Ｄデバイスと前記第２のＤ２Ｄデバイスとの距離を前記実際のカバレッジ性能として取得する、請求項１８に記載の第２のＤ２Ｄデバイス。
【請求項２０】
前記受信ユニットは、さらに、ネットワークデバイスにより送信された時間‐周波数リソース指示メッセージを取得し、前記時間‐周波数リソース指示メッセージは、前記第２のメッセージが送信される時間‐周波数リソース上の位置に関する情報を有し、
前記送信ユニットが、前記第１のＤ２Ｄデバイスに第２のメッセージを前記送信することは、
前記時間‐周波数リソースの前記位置に対応する時間‐周波数リソース上で、前記第１のＤ２Ｄデバイスに前記第２のメッセージを送信することを有する、請求項１８又は１９に記載の第２のＤ２Ｄデバイス。
【請求項２１】
前記第１のＤ２Ｄデバイスにより送信された前記第１のメッセージを別のＤ２Ｄデバイスも受信し、前記第２のメッセージが送信される前記時間‐周波数リソース上の前記位置に関する前記情報は、前記第２のメッセージが送信される少なくとも１つの時間‐周波数リソース上の位置に関する情報であり、前記第２のメッセージが送信される前記時間‐周波数リソース上の前記位置はフィードバックリソースプールを構成し、
前記処理ユニットは、さらに、前記フィードバックリソースプール内の前記時間‐周波数リソースの前記位置を前記別のＤ２Ｄデバイスと競合し、
前記送信ユニットが、前記第１のＤ２Ｄデバイスに第２のメッセージを前記送信することは、
競合によって取得した前記時間‐周波数リソースの前記位置に対応する時間‐周波数リソース上で、前記第１のＤ２Ｄデバイスに前記第２のメッセージを送信することを有する、請求項２０に記載の第２のＤ２Ｄデバイス。
【請求項２２】
前記処理ユニットが、前記フィードバックリソースプール内の前記時間‐周波数リソースの前記位置を前記別のＤ２Ｄデバイスと前記競合することは、
前記フィードバックリソースプール内の前記時間‐周波数リソースを競合するためにタイマを設定することであって、前記タイマのタイミング値は、独立変数が前記カバレッジ比率を表す単調減少関数の値である、ことと、
前記別のＤ２Ｄデバイスとともに一斉に時間を測定することを開始して、前記フィードバックリソースプール内の前記時間‐周波数リソースの前記位置を競合することであって、前記別のＤ２Ｄデバイスも前記タイマを設定する、ことと、
前記第２のＤ２Ｄデバイスにより設定された前記タイマが最初に満了した場合に、前記フィードバックリソースプール内の前記時間‐周波数リソースを競合によって取得することと
を有する、請求項２１に記載の第２のＤ２Ｄデバイス。
【請求項２３】
コンピュータに、請求項１から６のいずれか一項に記載の電力制御方法を実行させるためのプログラム。
【請求項２４】
コンピュータに、請求項７から１１のいずれか一項に記載の電力制御方法を実行させるためのプログラム。
【発明の詳細な説明】
【技術分野】
【０００１】
本発明は、通信技術の分野、具体的には、電力制御方法及びデバイスに関する。
【背景技術】
【０００２】
デバイスツーデバイス（英語：ｄｅｖｉｃｅ‐ｔｏ‐ｄｅｖｉｃｅ、略してＤ２Ｄ）通信は、ユーザ直接接続通信とも称され、サードパーティの助けを借りることなくデバイス間でデータが直接伝送され得ることを意味する。Ｄ２Ｄ伝送において、伝送デバイスの伝送電力は、受信デバイスの受信信号レベルに直接影響を与え、さらに、伝送デバイスと受信デバイスとの間のリンクの性能にも影響を与える。具体的には、専用狭域通信（英語：Ｄｅｄｉｃａｔｅｄ  Ｓｈｏｒｔ  Ｒａｎｇｅ  Ｃｏｍｍｕｎｉｃａｔｉｏｎｓ、略してＤＳＲＣ）又は高度道路交通システム（英語：Ｉｎｔｅｌｌｉｇｅｎｔ  Ｔｒａｎｓｐｏｒｔ  Ｓｙｓｔｅｍ、略してＩＴＳ）において、特別なＤ２Ｄデバイスである車両の伝送電力はまた、安全メッセージのカバレッジエリアに直接影響を与え、近隣の車両の安全性に影響を与える。
【０００３】
故に、伝送Ｄ２Ｄデバイスの実際のカバレッジ性能を期待されるカバレッジ性能に一致させるべく、どのように伝送Ｄ２Ｄデバイスがその伝送電力を適切に設定できるようにするかが現時点で解決されるべき問題である。
【発明の概要】
【０００４】
本発明の実施形態は電力制御方法及びデバイスを提供することで、伝送Ｄ２Ｄデバイスは、伝送Ｄ２Ｄデバイスの実際のカバレッジ性能を期待されるカバレッジ性能に一致させるようにその伝送電力を適切に設定できる。
【０００５】
第１態様によれば、電力制御方法が提供され、電力制御方法は、
第１のユーザ直接接続通信Ｄ２Ｄデバイスにより、第１の伝送電力で第２のＤ２Ｄデバイスに第１のメッセージを送信する段階であって、第１のメッセージが第１のＤ２Ｄデバイスの期待されるカバレッジ性能を運ぶことで、第２のＤ２Ｄデバイスは、第１のメッセージ、及び第２のＤ２Ｄデバイスに対する第１のＤ２Ｄデバイスの実際のカバレッジ性能に従って、ネットワークデバイスに第２のメッセージを送信し、第２のメッセージが、期待されるカバレッジ性能に対する実際のカバレッジ性能のカバレッジ比率を運ぶことで、ネットワークデバイスは、カバレッジ比率に従って電力調整指示メッセージを生成し、第１のＤ２Ｄデバイスに電力調整指示メッセージを送信する、段階と、
第１のＤ２Ｄデバイスにより、ネットワークデバイスにより送信された電力調整指示メッセージを受信する段階と、
第１のＤ２Ｄデバイスにより、電力調整指示メッセージに従って第２の伝送電力となるように第１のメッセージの伝送電力を調整する段階と
を含む。
【０００６】
第１の可能な実施例では、期待されるカバレッジ性能が、期待されるカバレッジ距離である場合、第１のメッセージは第１のＤ２Ｄデバイスの位置情報をさらに含む。
【０００７】
第１態様又は第１態様の第１の可能な実施例に関して、第２の可能な実施例では、第１のメッセージ及び第２のメッセージは第１のＤ２Ｄデバイスの識別子をさらに含む。
【０００８】
第１態様、第１態様の第１の可能な実施例、又は第１態様の第２の可能な実施例に関して、第３の可能な実施例では、第２のメッセージは、ネットワークデバイスにより第２のＤ２Ｄデバイスに指示される時間‐周波数リソース上で、第２のＤ２Ｄデバイスによりネットワークデバイスに送信される。
【０００９】
第１態様、第１態様の第１の可能な実施例、第１態様の第２の可能な実施例、又は第１態様の第３の可能な実施例に関して、第４の可能な実施例では、第１のＤ２Ｄデバイスは、複数の第２のＤ２Ｄデバイスに第１のメッセージをブロードキャストし、第２のメッセージは、ネットワークデバイスのフィードバックリソースプール内の競合によって取得した時間‐周波数リソース上で、第２のＤ２Ｄデバイスによりネットワークデバイスに送信され、第２のＤ２Ｄデバイスは、フィードバックリソースプール内の時間‐周波数リソースを競合する複数の第２のＤ２Ｄデバイスの中で、時間‐周波数リソースを競合によって最初に取得する。
【００１０】
第１態様、第１態様の第１の可能な実施例、第１態様の第２の可能な実施例、第１態様の第３の可能な実施例、又は第１態様の第４の可能な実施例に関して、第５の可能な実施例では、第１のＤ２Ｄデバイスにより、第１の伝送電力で第２のＤ２Ｄデバイスに第１のメッセージを送信する段階の前に、方法は、
第１のＤ２Ｄデバイスにより、ネットワークデバイスにより第１のＤ２Ｄデバイスに指示される時間‐周波数リソース指示メッセージを受信する段階であって、時間‐周波数リソース指示メッセージは、時間‐周波数リソースの位置に関する情報を含む、段階をさらに含み、
第１のＤ２Ｄデバイスにより、第１の伝送電力で第２のＤ２Ｄデバイスに第１のメッセージを送信する段階は、
第１のＤ２Ｄデバイスにより、時間‐周波数リソースの位置に対応する時間‐周波数リソース上において、第１の伝送電力で第２のＤ２Ｄデバイスに第１のメッセージを送信する段階を含む。
【００１１】
第１態様、第１態様の第１の可能な実施例、第１態様の第２の可能な実施例、第１態様の第３の可能な実施例、第１態様の第４の可能な実施例、又は第１態様の第５の可能な実施例に関して、第６の可能な実施例では、電力調整指示メッセージは、伝送電力調整段階を指示する情報を含み、
第１のＤ２Ｄデバイスにより、電力調整指示メッセージに従って第２の伝送電力となるように第１のメッセージの伝送電力を調整する段階は、
第１のＤ２Ｄデバイスにより、電力調整指示メッセージに従って第２の伝送電力を取得し、第２の伝送電力で第１のメッセージを送信する段階であって、第２の伝送電力は、第１のＤ２Ｄデバイスの最大定格伝送電力と、第１の伝送電力及び伝送電力調整段階値の合計とのうち小さい方の電力値である、段階を含む。
【００１２】
第１態様、第１態様の第１の可能な実施例、第１態様の第２の可能な実施例、第１態様の第３の可能な実施例、第１態様の第４の可能な実施例、第１態様の第５の可能な実施例、又は第１態様の第６の可能な実施例に関して、第７の可能な実施例では、伝送電力調整段階を指示する情報は、具体的にはＮビットフィールドであり、Ｎは正の整数であり、Ｎビットフィールドは２Ｎの伝送電力調整段階の最大を示すことに用いられる。
【００１３】
第１態様、第１態様の第１の可能な実施例、第１態様の第２の可能な実施例、第１態様の第３の可能な実施例、第１態様の第４の可能な実施例、第１態様の第５の可能な実施例、第１態様の第６の可能な実施例、又は第１態様の第７の可能な実施例に関して、第８の可能な実施例では、実際のカバレッジ性能は、実際のカバレッジ距離、実際の受信レベル、又は実際の受信信号対干渉雑音比のうちのいずれか１つを含み、期待されるカバレッジ性能は、期待されるカバレッジ距離、期待される受信レベル、又は期待される受信信号対干渉雑音比のうちのいずれか１つを含む。
【００１４】
第２態様によれば、電力制御方法が提供され、電力制御方法は、
第２のユーザ直接接続通信Ｄ２Ｄデバイスにより、第１の伝送電力で第１のＤ２Ｄデバイスにより送信された第１のメッセージを受信する段階であって、第１のメッセージは、第１のＤ２Ｄデバイスの期待されるカバレッジ性能を運ぶ、段階と、
第２のＤ２Ｄデバイスにより、第２のＤ２Ｄデバイスに対する第１のＤ２Ｄデバイスの実際のカバレッジ性能を取得する段階と、
第２のＤ２Ｄデバイスにより、ネットワークデバイスに第２のメッセージを送信する段階であって、第２のメッセージが、期待されるカバレッジ性能に対する実際のカバレッジ性能のカバレッジ比率を運ぶことで、ネットワークデバイスは、カバレッジ比率に従って電力調整指示メッセージを生成し、第１のＤ２Ｄデバイスに電力調整指示メッセージを送信する、段階と
を含む。
【００１５】
第１の可能な実施例では、期待されるカバレッジ性能が、期待されるカバレッジ距離である場合、第１のメッセージは第１のＤ２Ｄデバイスの位置情報をさらに含む。
【００１６】
第２態様又は第２態様の第１の可能な実施例に関して、第２の可能な実施例では、第１のメッセージ及び第２のメッセージは第１のＤ２Ｄデバイスの識別子をさらに含む。
【００１７】
第２態様、第２態様の第１の可能な実施例、又は第２態様の第２の可能な実施例に関して、第３の可能な実施例では、第２のＤ２Ｄデバイスにより、ネットワークデバイスに第２のメッセージを送信する段階の前に、方法は、
第２のＤ２Ｄデバイスにより、ネットワークデバイスにより送信された時間‐周波数リソース指示メッセージを取得する段階であって、時間‐周波数リソース指示メッセージは、第２のメッセージが送信される時間‐周波数リソース上の位置に関する情報を含む、段階をさらに含み、
第２のＤ２Ｄデバイスにより、ネットワークデバイスに第２のメッセージを送信する段階は、
第２のＤ２Ｄデバイスにより、時間‐周波数リソースの位置に対応する時間‐周波数リソース上で、ネットワークデバイスに第２のメッセージを送信する段階を含む。
【００１８】
第２態様、第２態様の第１の可能な実施例、第２態様の第２の可能な実施例、又は第２態様の第３の可能な実施例に関して、第４の可能な実施例では、第１のＤ２Ｄデバイスにより送信された第１のメッセージを別のＤ２Ｄデバイスも受信し、第２のメッセージが送信される時間‐周波数リソース上の位置に関する情報は、第２のメッセージが送信される少なくとも１つの時間‐周波数リソース上の位置に関する情報であり、第２のメッセージが送信される時間‐周波数リソース上の位置はフィードバックリソースプールを構成し、
方法は、
第２のＤ２Ｄデバイスにより、フィードバックリソースプール内の時間‐周波数リソースの位置を別のＤ２Ｄデバイスと競合する段階をさらに含み、
第２のＤ２Ｄデバイスにより、ネットワークデバイスに第２のメッセージを送信する段階は、
第２のＤ２Ｄデバイスにより、競合によって取得した時間‐周波数リソースの位置に対応する時間‐周波数リソース上で、ネットワークデバイスに第２のメッセージを送信する段階を含む。
【００１９】
第２態様、第２態様の第１の可能な実施例、第２態様の第２の可能な実施例、第２態様の第３の可能な実施例、又は第２態様の第４の可能な実施例に関して、第５の可能な実施例では、第２のＤ２Ｄデバイスにより、フィードバックリソースプール内の時間‐周波数リソースの位置を別のＤ２Ｄデバイスと競合する段階は、
第２のＤ２Ｄデバイスにより、フィードバックリソースプール内の時間‐周波数リソースの位置を競合するためにタイマを設定する段階であって、タイマのタイミング値は、独立変数がカバレッジ比率を表す単調減少関数の値である、段階と、
第２のＤ２Ｄデバイスにより、別のＤ２Ｄデバイスとともに一斉に時間を測定することを開始して、フィードバックリソースプール内の時間‐周波数リソースの位置を競合する段階であって、別のＤ２Ｄデバイスもタイマを設定する、段階と、
第２のＤ２Ｄデバイスにより設定されたタイマが最初に満了した場合に、競合によって第２のＤ２Ｄデバイスにより、フィードバックリソースプール内の時間‐周波数リソースを取得する段階と
を含む。
【００２０】
第３態様によれば、電力制御方法が提供され、電力制御方法は、
ネットワークデバイスにより、第２のユーザ直接接続通信Ｄ２Ｄデバイスにより送信された第２のメッセージを受信する段階であって、第２のメッセージは、第１のＤ２Ｄデバイスの期待されるカバレッジ性能に対する実際のカバレッジ性能のカバレッジ比率を運び、実際のカバレッジ性能は、第２のＤ２Ｄデバイスに対する第１のＤ２Ｄデバイスの実際のカバレッジ性能であり、期待されるカバレッジ性能は、第１のＤ２Ｄデバイスにより、第１の伝送電力で第２のＤ２Ｄデバイスに送信される第１のメッセージで運ばれる、段階と、
ネットワークデバイスにより、カバレッジ比率に従って電力調整指示メッセージを生成する段階と、
ネットワークデバイスにより、第１のＤ２Ｄデバイスに電力調整指示メッセージを送信することで、第１のＤ２Ｄデバイスは、電力調整指示メッセージに従って第２の伝送電力となるように第１のメッセージの伝送電力を調整する段階と、
を含む。
【００２１】
第１の可能な実施例では、期待されるカバレッジ性能が、期待されるカバレッジ距離である場合、第１のメッセージは第１のＤ２Ｄデバイスの位置情報をさらに含む。
【００２２】
第３態様又は第３態様の第１の可能な実施例に関して、第２の可能な実施例では、第１のメッセージ及び第２のメッセージは第１のＤ２Ｄデバイスの識別子をさらに含む。
【００２３】
第３態様、第３態様の第１の可能な実施例、又は第３態様の第２の可能な実施例に関して、第３の可能な実施例では、ネットワークデバイスにより、第２のＤ２Ｄデバイスにより送信された第２のメッセージを受信する段階の前に、方法は、
ネットワークデバイスにより、第２のＤ２Ｄデバイスに時間‐周波数リソース指示メッセージを送信する段階であって、時間‐周波数リソース指示メッセージが時間‐周波数リソースの位置に関する情報を含むことで、第２のＤ２Ｄデバイスは、時間‐周波数リソースの位置に対応する時間‐周波数リソース上で、ネットワークデバイスに第２のメッセージを送信する、段階をさらに含む。
【００２４】
第３態様、第３態様の第１の可能な実施例、第３態様の第２の可能な実施例、又は第３態様の第３の可能な実施例に関して、第４の可能な実施例では、第１のＤ２Ｄデバイスは複数の第２のＤ２Ｄデバイスに第１のメッセージをブロードキャストし、方法は、
ネットワークデバイスにより、複数の第２のＤ２Ｄデバイスに対するフィードバックリソースプールを設定する段階であって、フィードバックリソースプールは、第２のメッセージが送信される少なくとも１つの時間‐周波数リソース上の位置を含む、段階をさらに含み、
ネットワークデバイスにより、第２のＤ２Ｄデバイスにより送信された第２のメッセージを受信する段階は、
ネットワークデバイスにより、複数の第２のＤ２Ｄデバイスのうち、フィードバックリソースプール内の時間‐周波数リソースの位置を競合によって取得する第２のＤ２Ｄデバイスにより、時間‐周波数リソースの位置に対応する時間‐周波数リソース上で送信された第２のメッセージを受信する段階を含む。
【００２５】
第３態様、第３態様の第１の可能な実施例、第３態様の第２の可能な実施例、第３態様の第３の可能な実施例、又は第３態様の第４の可能な実施例に関して、第５の可能な実施例では、電力調整指示メッセージは、伝送電力調整段階を指示する情報を含み、伝送電力調整段階を指示する情報はＮビットフィールドであり、Ｎは正の整数であり、Ｎビットフィールドは２Ｎの伝送電力調整段階の最大を示すことに用いられる。
【００２６】
第４態様によれば、電力制御方法が提供され、電力制御方法は、
第１のユーザ直接接続通信Ｄ２Ｄデバイスにより、第１の伝送電力で第２のＤ２Ｄデバイスに第１のメッセージを送信する段階であって、第１のメッセージが、期待されるカバレッジ性能に関する情報を運ぶことで、第２のＤ２Ｄデバイスは、第１のメッセージ、及び第２のＤ２Ｄデバイスに対する第１のＤ２Ｄデバイスの実際のカバレッジ性能に従って、第１のＤ２Ｄデバイスに第２のメッセージを送信し、第２のメッセージが、期待されるカバレッジ性能に対する実際のカバレッジ性能のカバレッジ比率を運ぶ、段階と、
第１のＤ２Ｄデバイスにより、第２のＤ２Ｄデバイスにより送信された第２のメッセージを受信する段階と、
第１のＤ２Ｄデバイスにより、カバレッジ比率に従って第２の伝送電力となるように第１のメッセージの伝送電力を調整する段階と
を含む。
【００２７】
第１の可能な実施例では、期待されるカバレッジ性能が、期待されるカバレッジ距離である場合、第１のメッセージは第１のＤ２Ｄデバイスの位置情報をさらに含む。
【００２８】
第４態様又は第４態様の第１の可能な実施例に関して、第２の可能な実施例では、第１のメッセージ及び第２のメッセージは第１のＤ２Ｄデバイスの識別子をさらに含む。
【００２９】
第４態様、第４態様の第１の可能な実施例、又は第４態様の第２の可能な実施例に関して、第３の可能な実施例では、第２のメッセージは、ネットワークデバイスにより第２のＤ２Ｄデバイスに指示される時間‐周波数リソース上で、第２のＤ２Ｄデバイスにより第１のＤ２Ｄデバイスに送信される。
【００３０】
第４態様、第４態様の第１の可能な実施例、第４態様の第２の可能な実施例、又は第４態様の第３の可能な実施例に関して、第４の可能な実施例では、第１のＤ２Ｄデバイスは、複数の第２のＤ２Ｄデバイスに第１のメッセージをブロードキャストし、第２のメッセージは、ネットワークデバイスのフィードバックリソースプール内の競合によって取得した時間‐周波数リソース上で、第２のＤ２Ｄデバイスによりネットワークデバイスに送信され、第２のＤ２Ｄデバイスは、フィードバックリソースプール内の時間‐周波数リソースを競合する複数の第２のＤ２Ｄデバイスの中で、時間‐周波数リソースを競合によって最初に取得する。
【００３１】
第４態様、第４態様の第１の可能な実施例、第４態様の第２の可能な実施例、第４態様の第３の可能な実施例、又は第４態様の第４の可能な実施例に関して、第５の可能な実施例では、第１のＤ２Ｄデバイスにより、第１の伝送電力で第２のＤ２Ｄデバイスに第１のメッセージを送信する段階の前に、方法は、
第１のＤ２Ｄデバイスにより、ネットワークデバイスにより第１のＤ２Ｄデバイスに指示される時間‐周波数リソース指示メッセージを受信する段階であって、時間‐周波数リソース指示メッセージは、時間‐周波数リソースの位置に関する情報を含む、段階をさらに含み、
第１のＤ２Ｄデバイスにより、第１の伝送電力で第２のＤ２Ｄデバイスに第１のメッセージを送信する段階は、
第１のＤ２Ｄデバイスにより、時間‐周波数リソースの位置に対応する時間‐周波数リソース上において、第１の伝送電力で第２のＤ２Ｄデバイスに第１のメッセージを送信する段階を含む。
【００３２】
第４態様、第４態様の第１の可能な実施例、第４態様の第２の可能な実施例、第４態様の第３の可能な実施例、第４態様の第４の可能な実施例、又は第４態様の第５の可能な実施例に関して、第６の可能な実施例では、第１のＤ２Ｄデバイスにより、カバレッジ比率に従って第２の伝送電力となるように第１のメッセージの伝送電力を調整する段階は、
第１のＤ２Ｄデバイスにより、カバレッジ比率に従って伝送電力調整段階を決定する段階と、
第１のＤ２Ｄデバイスにより、伝送電力調整段階に従って第２の伝送電力を取得し、第２の伝送電力で第１のメッセージを送信する段階であって、第２の伝送電力は、第１のＤ２Ｄデバイスの最大定格伝送電力と、第１の伝送電力及び伝送電力調整段階値の合計とのうち小さい方の電力値である、段階とを含む。
【００３３】
第４態様、第４態様の第１の可能な実施例、第４態様の第２の可能な実施例、第４態様の第３の可能な実施例、第４態様の第４の可能な実施例、第４態様の第５の可能な実施例、又は第４態様の第６の可能な実施例に関して、第７の可能な実施例では、実際のカバレッジ性能は、実際のカバレッジ距離、実際の受信レベル、又は実際の受信信号対干渉雑音比のうちのいずれか１つを含み、期待されるカバレッジ性能は、期待されるカバレッジ距離、期待される受信レベル、又は期待される受信信号対干渉雑音比のうちのいずれか１つを含む。
【００３４】
第５態様によれば、電力制御方法が提供され、電力制御方法は、
第２のユーザ直接接続通信Ｄ２Ｄデバイスにより、第１の伝送電力で第１のＤ２Ｄデバイスにより送信された第１のメッセージを受信する段階であって、第１のメッセージは、第１のＤ２Ｄデバイスの期待されるカバレッジ性能に関する情報を運ぶ、段階と、
第２のＤ２Ｄデバイスにより、第２のＤ２Ｄデバイスに対する第１のＤ２Ｄデバイスの実際のカバレッジ性能を取得する段階と、
第２のＤ２Ｄデバイスにより、第１のＤ２Ｄデバイスに第２のメッセージを送信する段階であって、第２のメッセージは、期待されるカバレッジ性能に対する実際のカバレッジ性能のカバレッジ比率を運ぶ、段階と
を含む。
【００３５】
第１の可能な実施例では、期待されるカバレッジ性能が、期待されるカバレッジ距離である場合、第１のメッセージは第１のＤ２Ｄデバイスの位置情報をさらに含む。
【００３６】
第５態様又は第５態様の第１の可能な実施例に関して、第２の可能な実施例では、第１のメッセージ及び第２のメッセージは第１のＤ２Ｄデバイスの識別子をさらに含む。
【００３７】
第５態様、第５態様の第１の可能な実施例、又は第５態様の第２の可能な実施例に関して、第３の可能な実施例では、第２のＤ２Ｄデバイスにより、第１のＤ２Ｄデバイスに第２のメッセージを送信する段階の前に、方法は、
第２のＤ２Ｄデバイスにより、ネットワークデバイスにより送信された時間‐周波数リソース指示メッセージを取得する段階であって、時間‐周波数リソース指示メッセージは、第２のメッセージが送信される時間‐周波数リソース上の位置に関する情報を含む、段階をさらに含み、
第２のＤ２Ｄデバイスにより、第１のＤ２Ｄデバイスに第２のメッセージを送信する段階は、
第２のＤ２Ｄデバイスにより、時間‐周波数リソースの位置に対応する時間‐周波数リソース上で、第１のＤ２Ｄデバイスに第２のメッセージを送信する段階を含む。
【００３８】
第５態様、第５態様の第１の可能な実施例、第５態様の第２の可能な実施例、又は第５態様の第３の可能な実施例に関して、第４の可能な実施例では、第１のＤ２Ｄデバイスにより送信された第１のメッセージを別のＤ２Ｄデバイスも受信し、第２のメッセージが送信される時間‐周波数リソース上の位置に関する情報は、第２のメッセージが送信される少なくとも１つの時間‐周波数リソース上の位置に関する情報であり、第２のメッセージが送信される時間‐周波数リソース上の位置はフィードバックリソースプールを構成し、
方法は、
第２のＤ２Ｄデバイスにより、フィードバックリソースプール内の時間‐周波数リソースの位置を別のＤ２Ｄデバイスと競合する段階をさらに含み、
第２のＤ２Ｄデバイスにより、第１のＤ２Ｄデバイスに第２のメッセージを送信する段階は、
第２のＤ２Ｄデバイスにより、競合によって取得した時間‐周波数リソースの位置に対応する時間‐周波数リソース上で、第１のＤ２Ｄデバイスに第２のメッセージを送信する段階を含む。
【００３９】
第５態様、第５態様の第１の可能な実施例、第５態様の第２の可能な実施例、第５態様の第３の可能な実施例、又は第５態様の第４の可能な実施例に関して、第５の可能な実施例では、第２のＤ２Ｄデバイスにより、フィードバックリソースプール内の時間‐周波数リソースの位置を別のＤ２Ｄデバイスと競合する段階は、
第２のＤ２Ｄデバイスにより、フィードバックリソースプール内の時間‐周波数リソースを競合するためにタイマを設定する段階であって、タイマのタイミング値は、独立変数がカバレッジ比率を表す単調減少関数の値である、段階と、
第２のＤ２Ｄデバイスにより、別のＤ２Ｄデバイスとともに一斉に時間を測定することを開始して、フィードバックリソースプール内の時間‐周波数リソースの位置を競合する段階であって、別のＤ２Ｄデバイスもタイマを設定する、段階と、
第２のＤ２Ｄデバイスにより設定されたタイマが最初に満了した場合に、競合によって第２のＤ２Ｄデバイスにより、フィードバックリソースプール内の時間‐周波数リソースを取得する段階と
を含む。
【００４０】
第６態様によれば、第１のユーザ直接接続通信Ｄ２Ｄデバイスが提供され、第１のユーザ直接接続通信Ｄ２Ｄデバイスは、送信ユニット、受信ユニット、及び処理ユニットを含み、
送信ユニットは、第１の伝送電力で第２のＤ２Ｄデバイスに第１のメッセージを送信するように構成され、第１のメッセージが第１のＤ２Ｄデバイスの期待されるカバレッジ性能を運ぶことで、第２のＤ２Ｄデバイスは、第１のメッセージ、及び第２のＤ２Ｄデバイスに対する第１のＤ２Ｄデバイスの実際のカバレッジ性能に従ってネットワークデバイスに第２のメッセージを送信し、第２のメッセージが、期待されるカバレッジ性能に対する実際のカバレッジ性能のカバレッジ比率を運ぶことで、ネットワークデバイスは、カバレッジ比率に従って電力調整指示メッセージを生成して、第１のＤ２Ｄデバイスに電力調整指示メッセージを送信し、
受信ユニットは、ネットワークデバイスにより送信された電力調整指示メッセージを受信するように構成され、
処理ユニットは、電力調整指示メッセージに従って第２の伝送電力となるように第１のメッセージの伝送電力を調整するように構成される。
【００４１】
第１の可能な実施例では、期待されるカバレッジ性能が、期待されるカバレッジ距離である場合、第１のメッセージは第１のＤ２Ｄデバイスの位置情報をさらに含む。
【００４２】
第６態様又は第６態様の第１の可能な実施例に関して、第２の可能な実施例では、第１のメッセージ及び第２のメッセージは第１のＤ２Ｄデバイスの識別子をさらに含む。
【００４３】
第６態様、第６態様の第１の可能な実施例、又は第６態様の第２の可能な実施例に関して、第３の可能な実施例では、第２のメッセージは、ネットワークデバイスにより第２のＤ２Ｄデバイスに指示される時間‐周波数リソース上で、第２のＤ２Ｄデバイスによりネットワークデバイスに送信される。
【００４４】
第６態様、第６態様の第１の可能な実施例、第６態様の第２の可能な実施例、又は第６態様の第３の可能な実施例に関して、第４の可能な実施例では、送信ユニットは、複数の第２のＤ２Ｄデバイスに第１のメッセージをブロードキャストし、第２のメッセージは、競合によって取得した時間‐周波数リソース上で、第２のＤ２Ｄデバイスによりネットワークデバイスに送信され、第２のＤ２Ｄデバイスは、フィードバックリソースプール内の時間‐周波数リソースを競合する複数の第２のＤ２Ｄデバイスの中で、ネットワークデバイスのフィードバックリソースプール内の時間‐周波数リソースを競合によって最初に取得する。
【００４５】
第６態様、第６態様の第１の可能な実施例、第６態様の第２の可能な実施例、第６態様の第３の可能な実施例、又は第６態様の第４の可能な実施例に関して、第５の可能な実施例では、
受信ユニットは、ネットワークデバイスにより第１のＤ２Ｄデバイスに指示される時間‐周波数リソース指示メッセージを受信するようにさらに構成され、時間‐周波数リソース指示メッセージは、時間‐周波数リソースの位置に関する情報を含み、
送信ユニットが、第１の伝送電力で第２のＤ２Ｄデバイスに第１のメッセージを送信する段階を実行することは、
第１のＤ２Ｄデバイスにより、時間‐周波数リソースの位置に対応する時間‐周波数リソース上において、第１の伝送電力で第２のＤ２Ｄデバイスに第１のメッセージを送信することを含む。
【００４６】
第６態様、第６態様の第１の可能な実施例、第６態様の第２の可能な実施例、第６態様の第３の可能な実施例、第６態様の第４の可能な実施例、又は第６態様の第５の可能な実施例に関して、第６の可能な実施例では、電力調整指示メッセージは、伝送電力調整段階を指示する情報を含み、
処理ユニットが、電力調整指示メッセージに従って第２の伝送電力となるように第１のメッセージの伝送電力を調整する段階を実行することは、
電力調整指示メッセージに従って第２の伝送電力を取得し、第２の伝送電力で第１のメッセージを送信することを含み、第２の伝送電力は、第１のＤ２Ｄデバイスの最大定格伝送電力と、第１の伝送電力及び伝送電力調整段階値の合計とのうち小さい方の電力値である。
【００４７】
第６態様、第６態様の第１の可能な実施例、第６態様の第２の可能な実施例、第６態様の第３の可能な実施例、第６態様の第４の可能な実施例、第６態様の第５の可能な実施例、又は第６態様の第６の可能な実施例に関して、第７の可能な実施例では、伝送電力調整段階を指示する情報は、具体的にはＮビットフィールドであり、Ｎは正の整数であり、Ｎビットフィールドは２Ｎの伝送電力調整段階の最大を示すことに用いられる。
【００４８】
第６態様、第６態様の第１の可能な実施例、第６態様の第２の可能な実施例、第６態様の第３の可能な実施例、第６態様の第４の可能な実施例、第６態様の第５の可能な実施例、第６態様の第６の可能な実施例、又は第６態様の第７の可能な実施例に関して、第８の可能な実施例では、実際のカバレッジ性能は、実際のカバレッジ距離、実際の受信レベル、又は実際の受信信号対干渉雑音比のうちのいずれか１つを含み、期待されるカバレッジ性能は、期待されるカバレッジ距離、期待される受信レベル、又は期待される受信信号対干渉雑音比のうちのいずれか１つを含む。
【００４９】
第７態様によれば、第２のユーザ直接接続通信Ｄ２Ｄデバイスが提供され、第２のユーザ直接接続通信Ｄ２Ｄデバイスは、受信ユニット、処理ユニット、及び送信ユニットを含み、
受信ユニットは、第１の伝送電力で第１のＤ２Ｄデバイスにより送信された第１のメッセージを受信するように構成され、第１のメッセージは、第１のＤ２Ｄデバイスの期待されるカバレッジ性能を運び、
処理ユニットは、第２のＤ２Ｄデバイスに対する第１のＤ２Ｄデバイスの実際のカバレッジ性能を取得するように構成され、
送信ユニットは、ネットワークデバイスに第２のメッセージを送信するように構成され、第２のメッセージが、期待されるカバレッジ性能に対する実際のカバレッジ性能のカバレッジ比率を運ぶことで、ネットワークデバイスは、カバレッジ比率に従って電力調整指示メッセージを生成し、第１のＤ２Ｄデバイスに電力調整指示メッセージを送信する。
【００５０】
第１の可能な実施例では、期待されるカバレッジ性能が、期待されるカバレッジ距離である場合、第１のメッセージは第１のＤ２Ｄデバイスの位置情報をさらに含む。
【００５１】
第７態様又は第７態様の第１の可能な実施例に関して、第２の可能な実施例では、第１のメッセージ及び第２のメッセージは第１のＤ２Ｄデバイスの識別子をさらに含む。
【００５２】
第７態様、第７態様の第１の可能な実施例、又は第７態様の第２の可能な実施例に関して、第３の可能な実施例では、
受信ユニットは、ネットワークデバイスにより送信された時間‐周波数リソース指示メッセージを取得するようにさらに構成され、時間‐周波数リソース指示メッセージは、第２のメッセージが送信される時間‐周波数リソース上の位置に関する情報を含み、
送信ユニットが、ネットワークデバイスに第２のメッセージを送信する段階を実行することは、
時間‐周波数リソースの位置に対応する時間‐周波数リソース上で、ネットワークデバイスに第２のメッセージを送信することを含む。
【００５３】
第７態様、第７態様の第１の可能な実施例、第７態様の第２の可能な実施例、又は第７態様の第３の可能な実施例に関して、第４の可能な実施例では、第１のＤ２Ｄデバイスにより送信された第１のメッセージを別のＤ２Ｄデバイスも受信し、第２のメッセージが送信される時間‐周波数リソース上の位置に関する情報は、第２のメッセージが送信される少なくとも１つの時間‐周波数リソース上の位置に関する情報であり、第２のメッセージが送信される時間‐周波数リソース上の位置はフィードバックリソースプールを構成し、
処理ユニットは、フィードバックリソースプール内の時間‐周波数リソースの位置を別のＤ２Ｄデバイスと競合するようにさらに構成され、
送信ユニットが、ネットワークデバイスに第２のメッセージを送信する段階を実行することは、
競合によって取得した時間‐周波数リソースの位置に対応する時間‐周波数リソース上で、ネットワークデバイスに第２のメッセージを送信することを含む。
【００５４】
第７態様、第７態様の第１の可能な実施例、第７態様の第２の可能な実施例、第７態様の第３の可能な実施例、又は第７態様の第４の可能な実施例に関して、第５の可能な実施例では、処理ユニットが、フィードバックリソースプール内の時間‐周波数リソースの位置を別のＤ２Ｄデバイスと競合する段階を実行することは、
フィードバックリソースプール内の時間‐周波数リソースの位置を競合するためにタイマを設定することであって、タイマのタイミング値は、独立変数がカバレッジ比率を表す単調減少関数の値である、ことと、
別のＤ２Ｄデバイスとともに一斉に時間を測定することを開始して、フィードバックリソースプール内の時間‐周波数リソースの位置を競合することであって、別のＤ２Ｄデバイスもタイマを設定する、ことと、
第２のＤ２Ｄデバイスにより設定されたタイマが最初に満了した場合に、フィードバックリソースプール内の時間‐周波数リソースを競合によって取得することと
を含む。
【００５５】
第８態様によれば、ネットワークデバイスが提供され、ネットワークデバイスは、受信ユニット、処理ユニット、及び送信ユニットを含み、
受信ユニットは、第２のユーザ直接接続通信Ｄ２Ｄデバイスにより送信された第２のメッセージを受信するように構成され、第２のメッセージは、第１のＤ２Ｄデバイスの期待されるカバレッジ性能に対する実際のカバレッジ性能のカバレッジ比率を運び、実際のカバレッジ性能は、第２のＤ２Ｄデバイスに対する第１のＤ２Ｄデバイスの実際のカバレッジ性能であり、期待されるカバレッジ性能は、第１のＤ２Ｄデバイスにより、第１の伝送電力で第２のＤ２Ｄデバイスに送信される第１のメッセージで運ばれ、
処理ユニットは、カバレッジ比率に従って電力調整指示メッセージを生成するように構成され、
送信ユニットが第１のＤ２Ｄデバイスに電力調整指示メッセージを送信するように構成されることで、第１のＤ２Ｄデバイスは、電力調整指示メッセージに従って第２の伝送電力となるように第１のメッセージの伝送電力を調整する。
【００５６】
第１の可能な実施例では、期待されるカバレッジ性能が、期待されるカバレッジ距離である場合、第１のメッセージは第１のＤ２Ｄデバイスの位置情報をさらに含む。
【００５７】
第８態様又は第８態様の第１の可能な実施例に関して、第２の可能な実施例では、第１のメッセージ及び第２のメッセージは第１のＤ２Ｄデバイスの識別子をさらに含む。
【００５８】
第８態様、第８態様の第１の可能な実施例、又は第８態様の第２の可能な実施例に関して、第３の可能な実施例では、
送信ユニットは、第２のＤ２Ｄデバイスに時間‐周波数リソース指示メッセージを送信するようにさらに構成され、時間‐周波数リソース指示メッセージが時間‐周波数リソースの位置に関する情報を含むことで、第２のＤ２Ｄデバイスは、時間‐周波数リソースの位置に対応する時間‐周波数リソース上で、ネットワークデバイスに第２のメッセージを送信する。
【００５９】
第８態様、第８態様の第１の可能な実施例、第８態様の第２の可能な実施例、又は第８態様の第３の可能な実施例に関して、第４の可能な実施例では、第１のＤ２Ｄデバイスは複数の第２のＤ２Ｄデバイスに第１のメッセージをブロードキャストし、
処理ユニットは、複数の第２のＤ２Ｄデバイスに対するフィードバックリソースプールを設定するようにさらに構成され、フィードバックリソースプールは、第２のメッセージが送信される少なくとも１つの時間‐周波数リソース上の位置を含み、
受信ユニットが、第２のＤ２Ｄデバイスにより送信された第２のメッセージを受信する段階を実行することは、
複数の第２のＤ２Ｄデバイスのうち、フィードバックリソースプール内の時間‐周波数リソースの位置を競合によって取得する第２のＤ２Ｄデバイスにより時間‐周波数リソースの位置に対応する時間‐周波数リソース上で送信された第２のメッセージを受信することと
を含む。
【００６０】
第８態様、第８態様の第１の可能な実施例、第８態様の第２の可能な実施例、第８態様の第３の可能な実施例、又は第８態様の第４の可能な実施例に関して、第５の可能な実施例では、電力調整指示メッセージは、伝送電力調整段階を指示する情報を含み、伝送電力調整段階を指示する情報はＮビットフィールドであり、Ｎは正の整数であり、Ｎビットフィールドは２Ｎの伝送電力調整段階の最大を示すことに用いられる。
【００６１】
第９態様によれば、第１のユーザ直接接続通信Ｄ２Ｄデバイスが提供され、第１のユーザ直接接続通信Ｄ２Ｄデバイスは、送信ユニット、受信ユニット、及び処理ユニットを含み、
送信ユニットは、第１の伝送電力で第２のＤ２Ｄデバイスに第１のメッセージを送信するように構成され、第１のメッセージが、期待されるカバレッジ性能に関する情報を運ぶことで、第２のＤ２Ｄデバイスは、第１のメッセージ、及び第２のＤ２Ｄデバイスに対する第１のＤ２Ｄデバイスの実際のカバレッジ性能に従って、第１のＤ２Ｄデバイスに第２のメッセージを送信し、第２のメッセージが、期待されるカバレッジ性能に対する実際のカバレッジ性能のカバレッジ比率を運び、
受信ユニットは、第２のＤ２Ｄデバイスにより送信された第２のメッセージを受信するように構成され、
処理ユニットは、カバレッジ比率に従って第２の伝送電力となるように第１のメッセージの伝送電力を調整するように構成される。
【００６２】
第１の可能な実施例では、期待されるカバレッジ性能が、期待されるカバレッジ距離である場合、第１のメッセージは第１のＤ２Ｄデバイスの位置情報をさらに含む。
【００６３】
第９態様又は第９態様の第１の可能な実施例に関して、第２の可能な実施例では、第１のメッセージ及び第２のメッセージは第１のＤ２Ｄデバイスの識別子をさらに含む。
【００６４】
第９態様、第９態様の第１の可能な実施例、又は第９態様の第２の可能な実施例に関して、第３の可能な実施例では、第２のメッセージは、ネットワークデバイスにより第２のＤ２Ｄデバイスに指示される時間‐周波数リソース上で、第２のＤ２Ｄデバイスにより第１のＤ２Ｄデバイスに送信される。
【００６５】
第９態様、第９態様の第１の可能な実施例、第９態様の第２の可能な実施例、又は第９態様の第３の可能な実施例に関して、第４の可能な実施例では、送信ユニットは、複数の第２のＤ２Ｄデバイスに第１のメッセージをブロードキャストし、第２のメッセージは、ネットワークデバイスのフィードバックリソースプール内の競合によって取得した時間‐周波数リソース上で、第２のＤ２Ｄデバイスにより第１のＤ２Ｄデバイスに送信され、第２のＤ２Ｄデバイスは、フィードバックリソースプール内の時間‐周波数リソースを競合する複数の第２のＤ２Ｄデバイスの中で、時間‐周波数リソースを競合によって最初に取得する。
【００６６】
第９態様、第９態様の第１の可能な実施例、第９態様の第２の可能な実施例、第９態様の第３の可能な実施例、又は第９態様の第４の可能な実施例に関して、第５の可能な実施例では、
受信ユニットは、ネットワークデバイスにより第１のＤ２Ｄデバイスに指示される時間‐周波数リソース指示メッセージを受信するようにさらに構成され、時間‐周波数リソース指示メッセージは、時間‐周波数リソースの位置に関する情報を含み、
送信ユニットが、第１の伝送電力で第２のＤ２Ｄデバイスに第１のメッセージを送信する段階を実行することは、
時間‐周波数リソースの位置に対応する時間‐周波数リソース上において、第１の伝送電力で第２のＤ２Ｄデバイスに第１のメッセージを送信することを含む。
【００６７】
第９態様、第９態様の第１の可能な実施例、第９態様の第２の可能な実施例、第９態様の第３の可能な実施例、第９態様の第４の可能な実施例、又は第９態様の第５の可能な実施例に関して、第６の可能な実施例では、処理ユニットが、カバレッジ比率に従って第２の伝送電力となるように第１のメッセージの伝送電力を調整する段階を実行することは、
カバレッジ比率に従って伝送電力調整段階を決定することと、
伝送電力調整段階に従って第２の伝送電力を取得し、第２の伝送電力で第１のメッセージを送信することであって、第２の伝送電力は、第１のＤ２Ｄデバイスの最大定格伝送電力と、第１の伝送電力及び伝送電力調整段階値の合計とのうち小さい方の電力値である、こととを含む。
【００６８】
第９態様、第９態様の第１の可能な実施例、第９態様の第２の可能な実施例、第９態様の第３の可能な実施例、第９態様の第４の可能な実施例、第９態様の第５の可能な実施例、又は第９態様の第６の可能な実施例に関して、第７の可能な実施例では、実際のカバレッジ性能は、実際のカバレッジ距離、実際の受信レベル、又は実際の受信信号対干渉雑音比のうちのいずれか１つを含み、期待されるカバレッジ性能は、期待されるカバレッジ距離、期待される受信レベル、又は期待される受信信号対干渉雑音比のうちのいずれか１つを含む。
【００６９】
第１０態様によれば、第２のユーザ直接接続通信Ｄ２Ｄデバイスが提供され、第２のユーザ直接接続通信Ｄ２Ｄデバイスは、受信ユニット、処理ユニット、及び送信ユニットを含み、
受信ユニットは、第１の伝送電力で第１のＤ２Ｄデバイスにより送信された第１のメッセージを受信するように構成され、第１のメッセージは、第１のＤ２Ｄデバイスの期待されるカバレッジ性能に関する情報を運び、
処理ユニットは、第２のＤ２Ｄデバイスに対する第１のＤ２Ｄデバイスの実際のカバレッジ性能を取得するように構成され、
送信ユニットは、第１のＤ２Ｄデバイスに第２のメッセージを送信するように構成され、第２のメッセージは、期待されるカバレッジ性能に対する実際のカバレッジ性能のカバレッジ比率を運ぶ。
【００７０】
第１の可能な実施例では、期待されるカバレッジ性能が、期待されるカバレッジ距離である場合、第１のメッセージは第１のＤ２Ｄデバイスの位置情報をさらに含む。
【００７１】
第１０態様又は第１０態様の第１の可能な実施例に関して、第２の可能な実施例では、第１のメッセージ及び第２のメッセージは第１のＤ２Ｄデバイスの識別子をさらに含む。
【００７２】
第１０態様、第１０態様の第１の可能な実施例、又は第１０態様の第２の可能な実施例に関して、第３の可能な実施例では、
受信ユニットは、ネットワークデバイスにより送信された時間‐周波数リソース指示メッセージを取得するようにさらに構成され、時間‐周波数リソース指示メッセージは、第２のメッセージが送信される時間‐周波数リソース上の位置に関する情報を含み、
送信ユニットが、第１のＤ２Ｄデバイスに第２のメッセージを送信する段階を実行することは、
時間‐周波数リソースの位置に対応する時間‐周波数リソース上で、第１のＤ２Ｄデバイスに第２のメッセージを送信することを含む。
【００７３】
第１０態様、第１０態様の第１の可能な実施例、第１０態様の第２の可能な実施例、又は第１０態様の第３の可能な実施例に関して、第４の可能な実施例では、第１のＤ２Ｄデバイスにより送信された第１のメッセージを別のＤ２Ｄデバイスも受信し、第２のメッセージが送信される時間‐周波数リソース上の位置に関する情報は、第２のメッセージが送信される少なくとも１つの時間‐周波数リソース上の位置に関する情報であり、第２のメッセージが送信される時間‐周波数リソース上の位置はフィードバックリソースプールを構成し、
処理ユニットは、フィードバックリソースプール内の時間‐周波数リソースの位置を別のＤ２Ｄデバイスと競合するようにさらに構成され、
送信ユニットが、第１のＤ２Ｄデバイスに第２のメッセージを送信する段階を実行することは、
競合によって取得した時間‐周波数リソースの位置に対応する時間‐周波数リソース上で、第１のＤ２Ｄデバイスに第２のメッセージを送信することを含む。
【００７４】
第１０態様、第１０態様の第１の可能な実施例、第１０態様の第２の可能な実施例、第１０態様の第３の可能な実施例、又は第１０態様の第４の可能な実施例に関して、第５の可能な実施例では、処理ユニットが、フィードバックリソースプール内の時間‐周波数リソースの位置を別のＤ２Ｄデバイスと競合する段階を実行することは、
フィードバックリソースプール内の時間‐周波数リソースを競合するためにタイマを設定することであって、タイマのタイミング値は、独立変数がカバレッジ比率を表す単調減少関数の値である、ことと、
別のＤ２Ｄデバイスとともに一斉に時間を測定することを開始して、フィードバックリソースプール内の時間‐周波数リソースの位置を競合することであって、別のＤ２Ｄデバイスもタイマを設定する、ことと、
第２のＤ２Ｄデバイスにより設定されたタイマが最初に満了した場合に、フィードバックリソースプール内の時間‐周波数リソースを競合によって取得することと
を含む。
【００７５】
第１１態様によれば、第１のＤ２Ｄデバイスが提供され、第１のＤ２Ｄデバイスは、入力装置、出力装置、メモリ、及びプロセッサを含み、
プロセッサは、
第１の伝送電力で第２のＤ２Ｄデバイスに第１のメッセージを送信する手順であって、第１のメッセージが第１のＤ２Ｄデバイスの期待されるカバレッジ性能を運ぶことで、第２のＤ２Ｄデバイスは、第１のメッセージ、及び第２のＤ２Ｄデバイスに対する第１のＤ２Ｄデバイスの実際のカバレッジ性能に従ってネットワークデバイスに第２のメッセージを送信し、第２のメッセージが、期待されるカバレッジ性能に対する実際のカバレッジ性能のカバレッジ比率を運ぶことで、ネットワークデバイスは、カバレッジ比率に従って電力調整指示メッセージを生成し、第１のＤ２Ｄデバイスに電力調整指示メッセージを送信する、手順と、
ネットワークデバイスにより送信された電力調整指示メッセージを受信する手順と、
電力調整指示メッセージに従って第２の伝送電力となるように第１のメッセージの伝送電力を調整する手順とを実行する。
【００７６】
第１の可能な実施例では、期待されるカバレッジ性能が、期待されるカバレッジ距離である場合、第１のメッセージは第１のＤ２Ｄデバイスの位置情報をさらに含む。
【００７７】
第１１態様又は第１１態様の第１の可能な実施例に関して、第２の可能な実施例では、第１のメッセージ及び第２のメッセージは第１のＤ２Ｄデバイスの識別子をさらに含む。
【００７８】
第１１態様、第１１態様の第１の可能な実施例、又は第１１態様の第２の可能な実施例に関して、第３の可能な実施例では、第２のメッセージは、ネットワークデバイスにより第２のＤ２Ｄデバイスに指示される時間‐周波数リソース上で、第２のＤ２Ｄデバイスによりネットワークデバイスに送信される。
【００７９】
第１１態様、第１１態様の第１の可能な実施例、第１１態様の第２の可能な実施例、又は第１１態様の第３の可能な実施例に関して、第４の可能な実施例では、第１のＤ２Ｄデバイスは、複数の第２のＤ２Ｄデバイスに第１のメッセージをブロードキャストし、第２のメッセージは、ネットワークデバイスのフィードバックリソースプール内の競合によって取得した時間‐周波数リソース上で、第２のＤ２Ｄデバイスにより第１のＤ２Ｄデバイスに送信され、第２のＤ２Ｄデバイスは、フィードバックリソースプール内の時間‐周波数リソースを競合する複数の第２のＤ２Ｄデバイスの中で、時間‐周波数リソースを競合によって最初に取得する。
【００８０】
第１１態様、第１１態様の第１の可能な実施例、第１１態様の第２の可能な実施例、第１１態様の第３の可能な実施例、又は第１１態様の第４の可能な実施例に関して、第５の可能な実施例では、第１の伝送電力で第２のＤ２Ｄデバイスに第１のメッセージを送信する手順を実行する前に、プロセッサは、
ネットワークデバイスにより第１のＤ２Ｄデバイスに指示される時間‐周波数リソース指示メッセージを受信する手順であって、時間‐周波数リソース指示メッセージは、時間‐周波数リソースの位置に関する情報を含む、手順をさらに実行し、
プロセッサが、第１の伝送電力で第２のＤ２Ｄデバイスに第１のメッセージを送信する手順を実行することは、
時間‐周波数リソースの位置に対応する時間‐周波数リソース上において、第１の伝送電力で第２のＤ２Ｄデバイスに第１のメッセージを送信する手順を含む。
【００８１】
第１１態様、第１１態様の第１の可能な実施例、第１１態様の第２の可能な実施例、第１１態様の第３の可能な実施例、第１１態様の第４の可能な実施例、又は第１１態様の第５の可能な実施例に関して、第６の可能な実施例では、電力調整指示メッセージは、伝送電力調整段階を指示する情報を含み、
プロセッサが、電力調整指示メッセージに従って第２の伝送電力となるように第１のメッセージの伝送電力を調整する手順を実行することは、
電力調整指示メッセージに従って第２の伝送電力を取得し、第２の伝送電力で第１のメッセージを送信する手順であって、第２の伝送電力は、第１のＤ２Ｄデバイスの最大定格伝送電力と、第１の伝送電力及び伝送電力調整段階の合計とのうち小さい方の電力値である、手順を含む。
【００８２】
第１１態様、第１１態様の第１の可能な実施例、第１１態様の第２の可能な実施例、第１１態様の第３の可能な実施例、第１１態様の第４の可能な実施例、第１１態様の第５の可能な実施例、又は第１１態様の第６の可能な実施例に関して、第７の可能な実施例では、伝送電力調整段階を指示する情報は、具体的にはＮビットフィールドであり、Ｎは正の整数であり、Ｎビットフィールドは２Ｎの伝送電力調整段階の最大を示すことに用いられる。
【００８３】
第１１態様、第１１態様の第１の可能な実施例、第１１態様の第２の可能な実施例、第１１態様の第３の可能な実施例、第１１態様の第４の可能な実施例、第１１態様の第５の可能な実施例、第１１態様の第６の可能な実施例又は、第１１態様の第７の可能な実施例に関して、第８の可能な実施例では、実際のカバレッジ性能は、実際のカバレッジ距離、実際の受信レベル、又は実際の受信信号対干渉雑音比のうちのいずれか１つを含み、期待されるカバレッジ性能は、期待されるカバレッジ距離、期待される受信レベル、又は期待される受信信号対干渉雑音比のうちのいずれか１つを含む。
【００８４】
第１２態様によれば、第２のＤ２Ｄデバイスが提供され、第２のＤ２Ｄデバイスは、入力装置、出力装置、メモリ、及びプロセッサを含み、
プロセッサは、
第１の伝送電力で第１のＤ２Ｄデバイスにより送信された第１のメッセージを受信する手順であって、第１のメッセージは、第１のＤ２Ｄデバイスの期待されるカバレッジ性能を運ぶ、手順と、
第２のＤ２Ｄデバイスに対する第１のＤ２Ｄデバイスの実際のカバレッジ性能を取得する手順と、
ネットワークデバイスに第２のメッセージを送信する手順であって、第２のメッセージが、期待されるカバレッジ性能に対する実際のカバレッジ性能のカバレッジ比率を運ぶことで、ネットワークデバイスは、カバレッジ比率に従って電力調整指示メッセージを生成し、第１のＤ２Ｄデバイスに電力調整指示メッセージを送信する、手順と
を実行する。
【００８５】
第１の可能な実施例では、期待されるカバレッジ性能が、期待されるカバレッジ距離である場合、第１のメッセージは第１のＤ２Ｄデバイスの位置情報をさらに含む。
【００８６】
第１２態様又は第１２態様の第１の可能な実施例に関して、第２の可能な実施例では、第１のメッセージ及び第２のメッセージは第１のＤ２Ｄデバイスの識別子をさらに含む。
【００８７】
第１２態様、第１２態様の第１の可能な実施例、又は第１２態様の第２の可能な実施例に関して、第３の可能な実施例では、ネットワークデバイスに第２のメッセージを送信する手順を実行する前に、プロセッサは、
ネットワークデバイスにより送信された時間‐周波数リソース指示メッセージを取得する手順であって、時間‐周波数リソース指示メッセージは、第２のメッセージが送信される時間‐周波数リソース上の位置に関する情報を含む、手順をさらに実行し、
プロセッサが、ネットワークデバイスに第２のメッセージを送信する手順を実行することは、
時間‐周波数リソースの位置に対応する時間‐周波数リソース上で、ネットワークデバイスに第２のメッセージを送信する手順を含む。
【００８８】
第１２態様、第１２態様の第１の可能な実施例、第１２態様の第２の可能な実施例、又は第１２態様の第３の可能な実施例に関して、第４の可能な実施例では、第１のＤ２Ｄデバイスにより送信された第１のメッセージを別のＤ２Ｄデバイスも受信し、第２のメッセージが送信される時間‐周波数リソース上の位置に関する情報は、第２のメッセージが送信される少なくとも１つの時間‐周波数リソース上の位置に関する情報であり、第２のメッセージが送信される時間‐周波数リソースの位置はフィードバックリソースプールを構成し、
プロセッサは、
フィードバックリソースプール内の時間‐周波数リソースの位置を別のＤ２Ｄデバイスと競合する手順をさらに実行し、
ネットワークデバイスに第２のメッセージを送信する手順を実行することは、
競合によって取得した時間‐周波数リソースの位置に対応する時間‐周波数リソース上で、ネットワークデバイスに第２のメッセージを送信する手順を含む。
【００８９】
第１２態様、第１２態様の第１の可能な実施例、第１２態様の第２の可能な実施例、第１２態様の第３の可能な実施例、又は第１２態様の第４の可能な実施例に関して、第５の可能な実施例では、プロセッサが、フィードバックリソースプール内の時間‐周波数リソースの位置を別のＤ２Ｄデバイスと競合する手順を実行することは、
フィードバックリソースプール内の時間‐周波数リソースの位置を競合するためにタイマを設定する手順であって、タイマのタイミング値は、独立変数がカバレッジ比率を表す単調減少関数の値である、手順と、
別のＤ２Ｄデバイスとともに一斉に時間を測定することを開始して、フィードバックリソースプール内の時間‐周波数リソースの位置を競合する手順であって、別のＤ２Ｄデバイスもタイマを設定する、手順と、
第２のＤ２Ｄデバイスにより設定されたタイマが最初に満了した場合に、競合によって第２のＤ２Ｄデバイスにより、フィードバックリソースプール内の時間‐周波数リソースを取得する手順と
を含む。
【００９０】
第１３態様によれば、ネットワークデバイスが提供され、ネットワークデバイスは、入力装置、出力装置、メモリ、及びプロセッサを含み、
プロセッサは、
第２のユーザ直接接続通信Ｄ２Ｄデバイスにより送信された第２のメッセージを受信する手順であって、第２のメッセージは、第１のＤ２Ｄデバイスの期待されるカバレッジ性能に対する実際のカバレッジ性能のカバレッジ比率を運び、実際のカバレッジ性能は、第２のＤ２Ｄデバイスに対する第１のＤ２Ｄデバイスの実際のカバレッジ性能であり、期待されるカバレッジ性能は、第１のＤ２Ｄデバイスにより、第１の伝送電力で第２のＤ２Ｄデバイスに送信される第１のメッセージで運ばれる、手順と、
カバレッジ比率に従って電力調整指示メッセージを生成する手順と、
第１のＤ２Ｄデバイスに電力調整指示メッセージを送信することで、第１のＤ２Ｄデバイスは、電力調整指示メッセージに従って第２の伝送電力となるように第１のメッセージの伝送電力を調整する手順と
を実行する。
【００９１】
第１の可能な実施例では、期待されるカバレッジ性能が、期待されるカバレッジ距離である場合、第１のメッセージは第１のＤ２Ｄデバイスの位置情報をさらに含む。
【００９２】
第１３態様又は第１３態様の第１の可能な実施例に関して、第２の可能な実施例では、第１のメッセージ及び第２のメッセージは第１のＤ２Ｄデバイスの識別子をさらに含む。
【００９３】
第１３態様、第１３態様の第１の可能な実施例、又は第１３態様の第２の可能な実施例に関して、第３の可能な実施例では、第２のＤ２Ｄデバイスにより送信された第２のメッセージを受信する手順を実行する前に、プロセッサは、
第２のＤ２Ｄデバイスに時間‐周波数リソース指示メッセージを送信する手順であって、時間‐周波数リソース指示メッセージが時間‐周波数リソースの位置に関する情報を含むことで、第２のＤ２Ｄデバイスは、時間‐周波数リソースの位置に対応する時間‐周波数リソース上で、ネットワークデバイスに第２のメッセージを送信する、手順をさらに実行する。
【００９４】
第１３態様、第１３態様の第１の可能な実施例、第１３態様の第２の可能な実施例、又は第１３態様の第３の可能な実施例に関して、第４の可能な実施例では、第１のＤ２Ｄデバイスは複数の第２のＤ２Ｄデバイスに第１のメッセージをブロードキャストし、プロセッサは、
複数の第２のＤ２Ｄデバイスに対するフィードバックリソースプールを設定する手順であって、フィードバックリソースプールは、第２のメッセージが送信される少なくとも１つの時間‐周波数リソース上の位置を含む、手順をさらに実行し、
プロセッサが、第２のＤ２Ｄデバイスにより送信された第２のメッセージを受信する手順を実行することは、
複数の第２のＤ２Ｄデバイスのうち、フィードバックリソースプール内の時間‐周波数リソースの位置を競合によって取得する第２のＤ２Ｄデバイスにより時間‐周波数リソースの位置に対応する時間‐周波数リソース上で送信された第２のメッセージを受信する手順を含む。
【００９５】
第１３態様、第１３態様の第１の可能な実施例、第１３態様の第２の可能な実施例、第１３態様の第３の可能な実施例、又は第１３態様の第４の可能な実施例に関して、第５の可能な実施例では、電力調整指示メッセージは、伝送電力調整段階を指示する情報を含み、伝送電力調整段階を指示する情報はＮビットフィールドであり、Ｎは正の整数であり、Ｎビットフィールドは２Ｎの伝送電力調整段階の最大を示すことに用いられる。
【００９６】
第１４態様によれば、第１のＤ２Ｄデバイスが提供され、第１のＤ２Ｄデバイスは、入力装置、出力装置、メモリ、及びプロセッサを含み、
プロセッサは、
第１の伝送電力で第２のＤ２Ｄデバイスに第１のメッセージを送信する手順であって、第１のメッセージが、期待されるカバレッジ性能に関する情報を運ぶことで、第２のＤ２Ｄデバイスは、第１のメッセージ、及び第２のＤ２Ｄデバイスに対する第１のＤ２Ｄデバイスの実際のカバレッジ性能に従って、第１のＤ２Ｄデバイスに第２のメッセージを送信し、第２のメッセージが、期待されるカバレッジ性能に対する実際のカバレッジ性能のカバレッジ比率を運ぶ、手順と、
第２のＤ２Ｄデバイスにより送信された第２のメッセージを受信する手順と、
カバレッジ比率に従って第２の伝送電力となるように第１のメッセージの伝送電力を調整する手順と
を実行する。
【００９７】
第１の可能な実施例では、期待されるカバレッジ性能が、期待されるカバレッジ距離である場合、第１のメッセージは第１のＤ２Ｄデバイスの位置情報をさらに含む。
【００９８】
第１４態様又は第１４態様の第１の可能な実施例に関して、第２の可能な実施例では、第１のメッセージ及び第２のメッセージは第１のＤ２Ｄデバイスの識別子をさらに含む。
【００９９】
第１４態様、第１４態様の第１の可能な実施例、又は第１４態様の第２の可能な実施例に関して、第３の可能な実施例では、第２のメッセージは、ネットワークデバイスにより第２のＤ２Ｄデバイスに指示される時間‐周波数リソース上で、第２のＤ２Ｄデバイスにより第１のＤ２Ｄデバイスに送信される。
【０１００】
第１４態様、第１４態様の第１の可能な実施例、第１４態様の第２の可能な実施例、又は第１４態様の第３の可能な実施例に関して、第４の可能な実施例では、第１のＤ２Ｄデバイスは、複数の第２のＤ２Ｄデバイスに第１のメッセージをブロードキャストし、第２のメッセージは、ネットワークデバイスのフィードバックリソースプール内の競合によって取得した時間‐周波数リソース上で、第２のＤ２Ｄデバイスにより第１のＤ２Ｄデバイスに送信され、第２のＤ２Ｄデバイスは、フィードバックリソースプール内の時間‐周波数リソースを競合する複数の第２のＤ２Ｄデバイスの中で、時間‐周波数リソースを競合によって最初に取得する。
【０１０１】
第１４態様、第１４態様の第１の可能な実施例、第１４態様の第２の可能な実施例、第１４態様の第３の可能な実施例、又は第１４態様の第４の可能な実施例に関して、第５の可能な実施例では、第１の伝送電力で第２のＤ２Ｄデバイスに第１のメッセージを送信する手順を実行する前に、プロセッサは、
ネットワークデバイスにより第１のＤ２Ｄデバイスに指示される時間‐周波数リソース指示メッセージを受信する手順であって、時間‐周波数リソース指示メッセージは、時間‐周波数リソースの位置に関する情報を含む、手順をさらに実行し、
プロセッサが、第１の伝送電力で第２のＤ２Ｄデバイスに第１のメッセージを送信する手順を実行することは、
時間‐周波数リソースの位置に対応する時間‐周波数リソース上において、第１の伝送電力で第２のＤ２Ｄデバイスに第１のメッセージを送信する手順を含む。
【０１０２】
第１４態様、第１４態様の第１の可能な実施例、第１４態様の第２の可能な実施例、第１４態様の第３の可能な実施例、第１４態様の第４の可能な実施例、又は第１４態様の第５の可能な実施例に関して、第６の可能な実施例では、プロセッサが、カバレッジ比率に従って第２の伝送電力となるように第１のメッセージの伝送電力を調整する手順を実行することは、
カバレッジ比率に従って伝送電力調整段階を決定する手順と、
伝送電力調整段階に従って第２の伝送電力を取得し、第２の伝送電力で第１のメッセージを送信する手順であって、第２の伝送電力は、第１のＤ２Ｄデバイスの最大定格伝送電力と、第１の伝送電力及び伝送電力調整段階値の合計とのうち小さい方の電力値である、手順とを含む。
【０１０３】
第１４態様、第１４態様の第１の可能な実施例、第１４態様の第２の可能な実施例、第１４態様の第３の可能な実施例、第１４態様の第４の可能な実施例、第１４態様の第５の可能な実施例、又は第１４態様の第６の可能な実施例に関して、第７の可能な実施例では、実際のカバレッジ性能は、実際のカバレッジ距離、実際の受信レベル、又は実際の受信信号対干渉雑音比のうちのいずれか１つを含み、期待されるカバレッジ性能は、期待されるカバレッジ距離、期待される受信レベル、又は期待される受信信号対干渉雑音比のうちのいずれか１つを含む。
【０１０４】
第１５態様によれば、第２のＤ２Ｄデバイスが提供され、第２のＤ２Ｄデバイスは、入力装置、出力装置、メモリ、及びプロセッサを含み、
プロセッサは、
第１の伝送電力で第１のＤ２Ｄデバイスにより送信された第１のメッセージを受信する手順であって、第１のメッセージは、第１のＤ２Ｄデバイスの期待されるカバレッジ性能に関する情報を運ぶ、手順と、
第２のＤ２Ｄデバイスに対する第１のＤ２Ｄデバイスの実際のカバレッジ性能を取得する手順と、
第１のＤ２Ｄデバイスに第２のメッセージを送信する手順であって、第２のメッセージは、期待されるカバレッジ性能に対する実際のカバレッジ性能のカバレッジ比率を運ぶ、手順と
を実行する。
【０１０５】
第１の可能な実施例では、期待されるカバレッジ性能が、期待されるカバレッジ距離である場合、第１のメッセージは第１のＤ２Ｄデバイスの位置情報をさらに含む。
【０１０６】
第１５態様又は第１５態様の第１の可能な実施例に関して、第２の可能な実施例では、第１のメッセージ及び第２のメッセージは第１のＤ２Ｄデバイスの識別子をさらに含む。
【０１０７】
第１５態様、第１５態様の第１の可能な実施例、又は第１５態様の第２の可能な実施例に関して、第３の可能な実施例では、第１のＤ２Ｄデバイスに第２のメッセージを送信する手順を実行する前に、プロセッサは、
ネットワークデバイスにより送信された時間‐周波数リソース指示メッセージを取得する手順であって、時間‐周波数リソース指示メッセージは、第２のメッセージが送信される時間‐周波数リソース上の位置に関する情報を含む、手順をさらに実行し、
プロセッサが、第１のＤ２Ｄデバイスに第２のメッセージを送信する手順を実行することは、
時間‐周波数リソースの位置に対応する時間‐周波数リソース上で、第１のＤ２Ｄデバイスに第２のメッセージを送信する手順を含む。
【０１０８】
第１５態様、第１５態様の第１の可能な実施例、第１５態様の第２の可能な実施例、又は第１５態様の第３の可能な実施例に関して、第４の可能な実施例では、第１のＤ２Ｄデバイスにより送信された第１のメッセージを別のＤ２Ｄデバイスも受信し、第２のメッセージが送信される時間‐周波数リソース上の位置に関する情報は、第２のメッセージが送信される少なくとも１つの時間‐周波数リソース上の位置に関する情報であり、第２のメッセージが送信される時間‐周波数リソース上の位置はフィードバックリソースプールを構成し、
プロセッサは、
フィードバックリソースプール内の時間‐周波数リソースの位置を別のＤ２Ｄデバイスと競合する手順をさらに実行し、
プロセッサが、第１のＤ２Ｄデバイスに第２のメッセージを送信する手順を実行することは、
競合によって取得した時間‐周波数リソースの位置に対応する時間‐周波数リソース上で、第１のＤ２Ｄデバイスに第２のメッセージを送信する手順を含む。
【０１０９】
第１５態様、第１５態様の第１の可能な実施例、第１５態様の第２の可能な実施例、第１５態様の第３の可能な実施例、又は第１５態様の第４の可能な実施例に関して、第５の可能な実施例では、プロセッサが、フィードバックリソースプール内の時間‐周波数リソースの位置を別のＤ２Ｄデバイスと競合する手順を実行することは、
フィードバックリソースプール内の時間‐周波数リソースを競合するためにタイマを設定する手順であって、タイマのタイミング値は、独立変数がカバレッジ比率を表す単調減少関数の値である、手順と、
別のＤ２Ｄデバイスとともに一斉に時間を測定することを開始して、フィードバックリソースプール内の時間‐周波数リソースの位置を競合する手順であって、別のＤ２Ｄデバイスもタイマを設定する、手順と、
第２のＤ２Ｄデバイスにより設定されたタイマが最初に満了した場合に、競合によって第２のＤ２Ｄデバイスにより、フィードバックリソースプール内の時間‐周波数リソースを取得する手順と
を含む。
【０１１０】
本発明の実施形態において提供される電力制御方法及びデバイスによれば、ネットワークデバイスが、第１のユーザ直接接続通信デバイスの期待されるカバレッジ性能に対する、第２のユーザ直接接続通信デバイスに対する第１のユーザ直接接続通信デバイスの実際のカバレッジ性能のカバレッジ比率に従って電力調整指示メッセージを生成して、第１のユーザ直接接続通信デバイスに電力調整指示メッセージを送信し、第１のユーザ直接接続通信デバイスが電力調整指示メッセージに従って伝送電力を制御することで、第１のユーザ直接接続通信デバイスは、第１のユーザ直接接続通信デバイスの実際のカバレッジ性能を期待されるカバレッジ性能と一致させるように、その伝送電力を適切に設定できることが分かり得る。
【図面の簡単な説明】
【０１１１】
本発明の実施形態における、又は、従来技術における技術的解決手段をより明確に説明するために、以下では、実施形態を説明するために必要な添付の図面を簡単に説明する。明らかに、以下の説明における添付の図面は、単に本発明のいくつかの実施形態を示したものに過ぎず、当業者は、創造努力なしでこれらの添付の図面から他の図面をさらに導き出すことができる。
【０１１２】
【図１】電力設定の概略図である。
【０１１３】
【図２】本発明の実施形態に係る電力制御方法の概略フローチャートである。
【０１１４】
【図３】本発明の実施形態に係る別の電力制御方法の概略フローチャートである。
【０１１５】
【図４】本発明の実施形態に係るさらに別の電力制御方法の概略フローチャートである。
【０１１６】
【図５】本発明の実施形態に係るさらに別の電力制御方法の概略フローチャートである。
【０１１７】
【図６】本発明の実施形態に係るさらに別の電力制御方法の概略フローチャートである。
【０１１８】
【図７】本発明の実施形態に係るさらに別の電力制御方法の概略フローチャートである。
【０１１９】
【図８】本発明の実施形態に係るさらに別の電力制御方法の概略フローチャートである。
【０１２０】
【図９】本発明の実施形態に係る第１のユーザ直接接続通信Ｄ２Ｄデバイスの概略構造図である。
【０１２１】
【図１０】本発明の実施形態に係る第２のＤ２Ｄデバイスの概略構造図である。
【０１２２】
【図１１】本発明の実施形態に係るネットワークデバイスの概略構造図である。
【０１２３】
【図１２】本発明の実施形態に係る別の第１のＤ２Ｄデバイスの概略構造図である。
【０１２４】
【図１３】本発明の実施形態に係る別の第２のＤ２Ｄデバイスの概略構造図である。
【０１２５】
【図１４】本発明の実施形態に係るさらに別の第１のユーザ直接接続通信デバイスの概略構造図である。
【０１２６】
【図１５】本発明の実施形態に係るさらに別の第２のＤ２Ｄデバイスの概略構造図である。
【０１２７】
【図１６】本発明の実施形態に係る別のネットワークデバイスの概略構造図である。
【発明を実施するための形態】
【０１２８】
以下では、本発明の実施形態における添付の図面を参照して本発明の実施形態における技術的解決手段を明確にかつ完全に説明する。明らかに、説明される実施形態は、単に本発明の実施形態の一部に過ぎず、全てではない。創造努力なしで本発明の実施形態に基づいて当業者により得られる全ての他の実施形態が本発明の保護範囲に含まれるものとする。
【０１２９】
本発明の実施形態は、Ｄ２Ｄ通信分野に適用され、伝送ユーザ直接接続通信デバイス（以下、「第１のＤ２Ｄデバイス」と称される）、受信ユーザ直接接続通信デバイス（以下、「第２のＤ２Ｄデバイス」と称される）、及びネットワークデバイスに関する。本発明の実施形態において、ネットワークデバイスは、基地局（英語：Ｂａｓｅ  Ｓｔａｔｉｏｎ、略してＢＳ）、アクセスポイント（英語：Ａｃｃｅｓｓ  Ｐｏｉｎｔ、略してＡＰ）、遠隔無線機器（英語：Ｒｅｍｏｔｅ  Ｒａｄｉｏ  Ｅｑｕｉｐｍｅｎｔ、略してＲＲＥ）、遠隔無線ヘッド（英語：Ｒｅｍｏｔｅ  Ｒａｄｉｏ  Ｈｅａｄ、略してＲＲＨ）、遠隔無線ユニット（英語：Ｒｅｍｏｔｅ  Ｒａｄｉｏ  Ｕｎｉｔ、略してＲＲＵ）、中継ノード（英語：Ｒｅｌａｙ  ｎｏｄｅ）等であってよい。ネットワークデバイスとセルとの間の関係は限定されるものではない。１つのネットワークデバイスは１又は複数のセルに対応してよく、又は、１つのセルは１又は複数のネットワークデバイスに対応してよい。
【０１３０】
Ｄ２Ｄ通信において、第１のＤ２Ｄデバイスの伝送電力は、第２のＤ２Ｄデバイスの受信信号レベルに直接影響を与え、さらに、第１のＤ２Ｄデバイスと第２のＤ２Ｄデバイスとの間のリンクの性能に影響を与える。例えば、Ｄ２Ｄユニキャスト通信において、第１のＤ２Ｄデバイスの伝送電力は、期待される伝送性能を達成すべく、第２のＤ２Ｄデバイスの受信信号品質及び期待される目標レベルに基づいて設定されるべきである。Ｄ２Ｄブロードキャスト通信において、第１のＤ２Ｄデバイスからのメッセージは全ての周囲のデバイスにより受信される必要がある。この場合、受信信号品質の保証を必要とする１より多い第２のＤ２Ｄデバイスがあり、かつ、異なる第２のＤ２Ｄデバイスはまた、到達可能な受信信号電力レベルに関して大きく変化するので、この場合、伝送電力を適切に設定することがより重要になる。
【０１３１】
例として、アクティブ・セーフティ・アプリケーションを用いるＤ２Ｄブロードキャスト通信では、伝送車両の伝送電力が不適切に設定された場合、伝送ノードの期待されるカバレッジエリアと実際のカバレッジエリアとは結果として大きな差があり、システム性能に比較的明らかな影響を及ぼす。図１に示されるように、より低い電力が第１のＤ２Ｄデバイスに設定された場合、メッセージは、より小さいカバレッジエリアがあり、結果として、危険な範囲内にいるいくつかの車両は、安全メッセージを受信できず、時間内に危険を発見して回避することができない。より高い電力が設定された場合、メッセージは、より大きいカバレッジエリアがあり、過度なカバレッジ問題が生じる可能性がある。この場合、重複するカバレッジ領域内にいる車両は、安全メッセージを正しく受信できず、潜在的に脅かされる対象になり、健康問題もまた存在する。これは、伝送車両のドライバ、近隣の車両のドライバ、及び近隣の歩行者の健康に影響を与える。
【０１３２】
本発明の実施形態において、ネットワークデバイスが、第１のユーザ直接接続通信デバイスの期待されるカバレッジ性能に対する、第２のユーザ直接接続通信デバイスに対する第１のユーザ直接接続通信デバイスの実際のカバレッジ性能のカバレッジ比率に従って電力調整指示メッセージを生成し、第１のユーザ直接接続通信デバイスに電力調整指示メッセージを送信し、第１のユーザ直接接続通信デバイスが電力調整指示メッセージに従って伝送電力を制御することで、第１のユーザ直接接続通信デバイスは、第１のユーザ直接接続通信デバイスの実際のカバレッジ性能を期待されるカバレッジ性能と一致させるように、その伝送電力を適切に設定できる。
【０１３３】
以下の図２から図６を参照して、本発明において提供される電力制御方法の第１セットが実施形態において詳細に説明される。
【０１３４】
図２を参照すると、図２は、本発明の実施形態に係る電力制御方法の概略フローチャートである。方法は以下の段階を含む。
【０１３５】
段階Ｓ１０１．第１のユーザ直接接続通信Ｄ２Ｄデバイスは、第１の伝送電力で第２のＤ２Ｄデバイスに第１のメッセージを送信し、第１のメッセージが第１のＤ２Ｄデバイスの期待されるカバレッジ性能を運ぶことで、第２のＤ２Ｄデバイスは、第１のメッセージ、及び第２のＤ２Ｄデバイスに対する第１のＤ２Ｄデバイスの実際のカバレッジ性能に従ってネットワークデバイスに第２のメッセージを送信し、第２のメッセージが、期待されるカバレッジ性能に対する実際のカバレッジ性能のカバレッジ比率を運ぶことで、ネットワークデバイスは、カバレッジ比率に従って電力調整指示メッセージを生成し、第１のＤ２Ｄデバイスに電力調整指示メッセージを送信する。
【０１３６】
第１のＤ２Ｄデバイスは、第１の伝送電力で第２のＤ２Ｄデバイスに第１のメッセージを送信する。第１のＤ２Ｄデバイスが初めて第１のメッセージを送信するために、初期の規定電力（例えば、最大定格電力）でメッセージが送信されてよい。第１のメッセージは第１のＤ２Ｄデバイスの期待されるカバレッジ性能を含む。ここで、期待されるカバレッジ性能は、期待されるカバレッジ距離、期待される受信レベル、又は期待される受信信号対干渉雑音比のうちのいずれか１つを含む。
【０１３７】
必要に応じて、期待されるカバレッジ性能が、期待されるカバレッジ距離である場合、第１のメッセージは第１のＤ２Ｄデバイスの位置情報をさらに含む。
【０１３８】
必要に応じて、第１のメッセージは第１のＤ２Ｄデバイスの識別子をさらに含む。
【０１３９】
例えば、Ｄ２Ｄブロードキャストシステムでは、第１のＤ２Ｄデバイスが第１のメッセージを送信した後に、第１のＤ２Ｄデバイスの近くの全てのＤ２Ｄデバイス（すなわち、第２のＤ２Ｄデバイス）は、メッセージをデコードすることを試みる。メッセージを正しくデコードする能力がある第２のＤ２Ｄデバイスは、メッセージ内で運ばれた第１のＤ２Ｄデバイスの期待されるカバレッジ性能に関する情報を取得できる。ここで、「送信すること」は、ブロードキャスト動作である。
【０１４０】
第１のメッセージを受信した後に、第２のＤ２Ｄデバイスは、第１のメッセージを解析して、第２のＤ２Ｄデバイスに対する第１のＤ２Ｄデバイスの実際のカバレッジ性能を取得する。実際のカバレッジ性能は、実際のカバレッジ距離、実際の受信レベル、又は実際の受信信号対干渉雑音比のうちのいずれか１つを同様に含んでよい。例えば、カバレッジ性能はカバレッジ距離である。第１のＤ２Ｄデバイスの近くに複数の第２のＤ２Ｄデバイスがあり得、複数の第２のＤ２Ｄデバイスと第１のＤ２Ｄデバイスとの間の距離が変化し得るので、各第２のＤ２Ｄデバイスは、第２のＤ２Ｄデバイスの位置情報及び第１のＤ２Ｄデバイスの位置情報に従って第２のＤ２Ｄデバイスと第１のＤ２Ｄデバイスとの間の実際のカバレッジ距離を取得してよい。同様に、期待されるカバレッジ性能が、期待される受信レベル又は期待される受信信号対干渉雑音比である場合、第２のＤ２Ｄデバイスは、第１のメッセージを受信するために、実際の受信レベル又は実際の受信信号対干渉雑音比を取得してよい。
【０１４１】
パラメータ、すなわちカバレッジ比率がここで定義される。カバレッジ比率は、期待されるカバレッジ性能に対する、第１のメッセージを正しくデコードする能力がある各第２のＤ２Ｄデバイスの実際のカバレッジ性能の比として定義される。第１のメッセージのカバレッジが期待と一致するか否かはカバレッジ比率に従って取得され得る。カバレッジ距離を例として用いる場合、１より大きいカバレッジ比率は、実際のカバレッジ距離が、期待されるカバレッジ距離より長いことを表し、１より小さいカバレッジ比率は、実際のカバレッジ距離が、期待されるカバレッジ距離より短いことを表す。第１のメッセージのカバレッジが期待と一致するか否かはカバレッジ比率を定義することにより単純かつ明確に反映され得る。
【０１４２】
そして、第２のＤ２Ｄデバイスはネットワークデバイスに第２のメッセージを送信し、第２のメッセージはカバレッジ比率を運ぶ。ネットワークデバイスは、受信したカバレッジ比率に従って第１のＤ２Ｄデバイスのための電力調整指示メッセージを生成し、第１のＤ２Ｄデバイスに電力調整指示メッセージを送信する。具体的には、第２のＤ２Ｄデバイスによりフィードバックされたカバレッジ比率が１より大きい場合、ネットワークデバイスは、第１のＤ２Ｄデバイスに設定された第１の伝送電力が高く、適切に減少されるべきであると判断してよい。第２のＤ２Ｄデバイスによりフィードバックされたカバレッジ比率が１より小さい場合、ネットワークデバイスは、第１のＤ２Ｄデバイスに設定された第１の伝送電力が低く、適切に増加されるべきであると判断してよい。第２のＤ２Ｄデバイスによりフィードバックされたカバレッジ比率が１に等しい場合、ネットワークデバイスは、第１のＤ２Ｄデバイスに設定された伝送電力が適切であり、調整する必要がないと判断し得る。ネットワークデバイスは、電力調整指示メッセージにこれらの結果を含めて、第１のＤ２Ｄデバイスに電力調整指示メッセージを送信する。
【０１４３】
必要に応じて、第２のメッセージが第１のＤ２Ｄデバイスの識別子をさらに含むことで、ネットワークデバイスは、第１のＤ２Ｄデバイスに電力調整指示メッセージを送信する。
【０１４４】
段階Ｓ１０２．第１のＤ２Ｄデバイスは、ネットワークデバイスにより送信された電力調整指示メッセージを受信する。
【０１４５】
電力調整指示メッセージは、伝送電力調整段階を指示する情報を含んでよい、又は、具体的な伝送電力値を含んでよい。
【０１４６】
段階Ｓ１０３．第１のＤ２Ｄデバイスは、電力調整指示メッセージに従って第２の伝送電力となるように第１のメッセージの伝送電力を調整する。
【０１４７】
第１のＤ２Ｄデバイスは、ネットワークデバイスにより送信された電力調整指示メッセージに従って第２の伝送電力となるように第１のメッセージの伝送電力を調整する。調整制御が実際のカバレッジ性能に従って伝送電力に対して実行され、ひいては、第１のＤ２Ｄデバイスの実際のカバレッジ性能が、期待されるカバレッジ性能と一致し得る。
【０１４８】
本発明の本実施形態において提供される電力制御方法によれば、ネットワークデバイスが、第１のユーザ直接接続通信デバイスの期待されるカバレッジ性能に対する、第２のユーザ直接接続通信デバイスに対する第１のユーザ直接接続通信デバイスの実際のカバレッジ性能のカバレッジ比率に従って電力調整指示メッセージを生成し、第１のユーザ直接接続通信デバイスに電力調整指示メッセージを送信し、第１のユーザ直接接続通信デバイスが電力調整指示メッセージに従って伝送電力を制御することで、第１のユーザ直接接続通信デバイスは、第１のユーザ直接接続通信デバイスの実際のカバレッジ性能を期待されるカバレッジ性能と一致させるように、その伝送電力を適切に設定できる。
【０１４９】
図３を参照すると、図３は、本発明の実施形態に係る別の電力制御方法の概略フローチャートである。方法は以下の段階を含む。
【０１５０】
段階Ｓ２０１．第１のＤ２Ｄデバイスは、ネットワークデバイスにより第１のＤ２Ｄデバイスに指示される時間‐周波数リソース指示メッセージを受信し、時間‐周波数リソース指示メッセージは、時間‐周波数リソースの位置に関する情報を含む。
【０１５１】
１つのネットワークデバイスが１より多い第１のＤ２Ｄデバイスを通常管理するので、本発明の本実施形態におけるＤ２Ｄ通信はネットワークデバイスの助けに基づいてよく、ネットワークデバイスが、第１のＤ２Ｄデバイスにより占有される時間‐周波数リソースを示す、又は、第１のＤ２Ｄデバイスが、ネットワークデバイスの時間‐周波数リソースプール内の時間‐周波数リソースを競合する。具体的には、指示メッセージは時間‐周波数リソースの位置に関する情報を含む。これは、同じ時間‐周波数リソースの位置で複数の第１のＤ２Ｄデバイスにより実行されるメッセージ伝送に起因する第２のＤ２Ｄデバイスに対する伝送障害又は干渉を回避できる。
【０１５２】
段階Ｓ２０２．第１のＤ２Ｄデバイスは、時間‐周波数リソースの位置に対応する時間‐周波数リソース上で、第１のメッセージを第１の伝送電力で第２のＤ２Ｄデバイスに送信し、第１のメッセージが第１のＤ２Ｄデバイスの期待されるカバレッジ性能に関する情報を運ぶことで、第２のＤ２Ｄデバイスは、第１のメッセージ、及び第２のＤ２Ｄデバイスに対する第１のＤ２Ｄデバイスの実際のカバレッジ性能に従ってネットワークデバイスに第２のメッセージを送信し、第２のメッセージが、期待されるカバレッジ性能に対する実際のカバレッジ性能のカバレッジ比率を運ぶことで、ネットワークデバイスは、カバレッジ比率に従って電力調整指示メッセージを生成し、第１のＤ２Ｄデバイスに電力調整指示メッセージを送信する。
【０１５３】
図２に示される実施形態の段階Ｓ１０１とは異なり、この段階では、第１のＤ２Ｄデバイスは、ネットワークデバイスにより指示される時間‐周波数リソースの位置に対応する時間‐周波数リソース上で、第１のメッセージを送信する。
【０１５４】
第２のメッセージはまた、ネットワークデバイスにより指示される時間‐周波数リソース上で、第２のＤ２Ｄデバイスによりネットワークデバイスに送信されてよいことに留意すべきである。具体的には、第１のＤ２Ｄデバイスが複数の第２のＤ２Ｄデバイスに第１のメッセージをブロードキャストするシナリオにおいて、第２のメッセージは、ネットワークデバイスのフィードバックリソースプール内の競合によって取得した時間‐周波数リソース上で、第２のＤ２Ｄデバイスによりネットワークデバイスに送信されてよく、第２のＤ２Ｄデバイスは、フィードバックリソースプール内の時間‐周波数リソースを競合する複数の第２のＤ２Ｄデバイスの中で、時間‐周波数リソースを競合によって最初に取得する。
【０１５５】
段階Ｓ２０３．第１のＤ２Ｄデバイスは、ネットワークデバイスにより送信された電力調整指示メッセージを受信する。
【０１５６】
第１のＤ２Ｄデバイスは、エアインタフェースを用いることにより、ネットワークデバイスにより送信された電力調整指示メッセージを受信する。エアインタフェースは、物理層シグナリング、媒体アクセス制御層シグナリング、又は無線リソース制御シグナリングを含んでよい。ネットワークデバイスは、エアインタフェースを用いることにより第１のＤ２Ｄデバイスに電力調整指示メッセージを送信してよく、これにより、第１のＤ２Ｄデバイスは、電力調整指示メッセージを迅速に取得できる。
【０１５７】
電力調整指示メッセージは伝送電力調整段階を指示する情報を含む。伝送電力調整段階を指示する情報は、具体的にはＮビットであり、ここで、Ｎは正の整数であり、２Ｎの場合が示され得る。例えば、Ｎ＝３の場合、−４、−３、−２、−１、１、２、３及び４のような８つの場合が示されることができ、値は伝送電力調整段階値を表し、単位はデシベル（ｄＢ）であってよい。
【０１５８】
段階Ｓ２０４．第１のＤ２Ｄデバイスは、電力調整指示メッセージに従って第２の伝送電力を取得して、第２の伝送電力で第１のメッセージを送信し、第２の伝送電力は、第１のＤ２Ｄデバイスの最大定格伝送電力と、第１の伝送電力及び伝送電力調整段階値の合計とのうち小さい方の電力値である。
【０１５９】
具体的には、ネットワークデバイスから電力調整指示メッセージを受信した後に、第１のＤ２Ｄデバイスは、対応する伝送電力調整段階値を取得し、以下の式に従って第２の伝送電力を取得する。ＰＴＸ＝ｍｉｎ（Ｐｍａｘ,ＰＴＸ０+ｄｅｌｔａ）、ここで、ＰＴＸは第２の伝送電力であり、Ｐｍａｘは第１のＤ２Ｄデバイスの最大定格伝送電力であり、ＰＴＸ０は第１の伝送電力であり、ｄｅｌｔａは第１のＤ２Ｄデバイスの伝送電力調整段階値である。
【０１６０】
もちろん、電力調整指示メッセージが正確な第２の伝送電力を代わりに示してよい。
【０１６１】
本発明の本実施形態において提供される電力制御方法によれば、ネットワークデバイスが、第１のユーザ直接接続通信デバイスの期待されるカバレッジ性能に対する、第２のユーザ直接接続通信デバイスに対する第１のユーザ直接接続通信デバイスの実際のカバレッジ性能のカバレッジ比率に従って電力調整指示メッセージを生成し、第１のユーザ直接接続通信デバイスに電力調整指示メッセージを送信し、第１のユーザ直接接続通信デバイスが電力調整指示メッセージに従って伝送電力を制御することで、第１のユーザ直接接続通信デバイスは、第１のユーザ直接接続通信デバイスの実際のカバレッジ性能を期待されるカバレッジ性能と一致させるように、その伝送電力を適切に設定できる。さらに、第１のユーザ直接接続通信デバイスは、ネットワークデバイスにより指示される時間‐周波数リソース上で第１のメッセージを送信する。これは、別の第１のユーザ直接接続通信デバイスとの時間‐周波数リソース衝突により引き起こされる第２のユーザ直接接続通信デバイスによる第１のメッセージの受信に対する伝送障害又は干渉を回避できる。
【０１６２】
図４を参照すると、図４は、本発明の実施形態に係るさらに別の電力制御方法の概略フローチャートである。方法は以下の段階を含む。
【０１６３】
段階Ｓ３０１．第２のユーザ直接接続通信Ｄ２Ｄデバイスは、第１の伝送電力で第１のＤ２Ｄデバイスにより送信された第１のメッセージを受信し、第１のメッセージは、第１のＤ２Ｄデバイスの期待されるカバレッジ性能に関する情報を運ぶ。
【０１６４】
第２のＤ２Ｄデバイスは、第１の伝送電力で第１のＤ２Ｄデバイスにより送信された第１のメッセージを受信する。第１のメッセージは第１のＤ２Ｄデバイスの期待されるカバレッジ性能を含む。ここで、期待されるカバレッジ性能は、期待されるカバレッジ距離、期待される受信レベル、又は期待される受信信号対干渉雑音比のうちのいずれか１つを含む。
【０１６５】
段階Ｓ３０２．第２のＤ２Ｄデバイスは、第２のＤ２Ｄデバイスに対する第１のＤ２Ｄデバイスの実際のカバレッジ性能を取得する。
【０１６６】
第１のメッセージを受信した後に、第２のＤ２Ｄデバイスは、第１のメッセージを解析して、第２のＤ２Ｄデバイスに対する第１のＤ２Ｄデバイスの実際のカバレッジ性能を取得する。実際のカバレッジ性能は、実際のカバレッジ距離、実際の受信レベル、又は実際の受信信号対干渉雑音比のうちのいずれか１つを同様に含んでよい。
【０１６７】
必要に応じて、第１のメッセージは第１のＤ２Ｄデバイスの識別子をさらに含む。
【０１６８】
例えば、カバレッジ性能はカバレッジ距離である。第１のＤ２Ｄデバイスの近くに複数の第２のＤ２Ｄデバイスがあり得、複数の第２のＤ２Ｄデバイスと第１のＤ２Ｄデバイスの間の距離が変化し得るので、各第２のＤ２Ｄデバイスは、第２のＤ２Ｄデバイスの位置情報及び第１のＤ２Ｄデバイスの現在位置情報に従って第２のＤ２Ｄデバイスと第１のＤ２Ｄデバイスとの間の実際のカバレッジ距離を取得してよい。第１のメッセージは第１のＤ２Ｄデバイスの現在位置情報をさらに含んでよい。同様に、期待されるカバレッジ性能が、期待される受信レベル又は期待される受信信号対干渉雑音比である場合、第２のＤ２Ｄデバイスは、第１のメッセージを受信するために、実際の受信レベル又は実際の受信信号対干渉雑音比を取得してよい。
【０１６９】
段階Ｓ３０３．第２のＤ２Ｄデバイスはネットワークデバイスに第２のメッセージを送信し、第２のメッセージが、期待されるカバレッジ性能に対する実際のカバレッジ性能のカバレッジ比率を運ぶことで、ネットワークデバイスは、カバレッジ比率に従って電力調整指示メッセージを生成し、第１のＤ２Ｄデバイスに電力調整指示メッセージを送信する。
【０１７０】
パラメータ、すなわちカバレッジ比率がここで定義される。カバレッジ比率は、期待されるカバレッジ性能に対する第２のＤ２Ｄデバイスの実際のカバレッジ性能の比として定義される。第１のメッセージのカバレッジが期待と一致するか否かはカバレッジ比率に従って取得され得る。カバレッジ距離を例として用いる場合、１より大きいカバレッジ比率は、実際のカバレッジ距離が、期待されるカバレッジ距離より長いことを表し、１より小さいカバレッジ比率は、実際のカバレッジ距離が、期待されるカバレッジ距離より短いことを表す。第１のメッセージのカバレッジが期待と一致するか否かはカバレッジ比率を定義することにより単純かつ明確に反映され得る。
【０１７１】
第２のＤ２Ｄデバイスはネットワークデバイスに第２のメッセージを送信し、第２のメッセージはカバレッジ比率を運ぶ。ネットワークデバイスは、受信したカバレッジ比率に従って第１のＤ２Ｄデバイスのための電力調整指示メッセージを生成し、第１のＤ２Ｄデバイスに電力調整指示メッセージを送信する。第１のＤ２Ｄデバイスは、ネットワークデバイスにより送信された電力調整指示メッセージに従って第２の伝送電力となるように第１のメッセージの伝送電力を調整する。
【０１７２】
必要に応じて、第２のメッセージが第１のＤ２Ｄデバイスの識別子をさらに含むことで、ネットワークデバイスは、第１のＤ２Ｄデバイスに電力調整指示メッセージを送信する。
【０１７３】
調整制御が実際のカバレッジ性能に従って伝送電力に実行され、ひいては、第１のＤ２Ｄデバイスの実際のカバレッジ性能が、期待されるカバレッジ性能と一致し得る。
【０１７４】
本発明の本実施形態において提供される電力制御方法によれば、第２のユーザ直接接続通信デバイスが、第１のユーザ直接接続通信デバイスの期待されるカバレッジ性能に対する、第２のユーザ直接接続通信デバイスに対する第１のユーザ直接接続通信デバイスの実際のカバレッジ性能のカバレッジ比率をネットワークデバイスに送信し、ネットワークデバイスが、カバレッジ比率に従って電力調整指示メッセージを生成し、第１のユーザ直接接続通信デバイスに電力調整指示メッセージを送信し、第１のユーザ直接接続通信デバイスが電力調整指示メッセージに従って伝送電力を制御することで、第１のユーザ直接接続通信デバイスは、第１のユーザ直接接続通信デバイスの実際のカバレッジ性能を期待されるカバレッジ性能と一致させるように、その伝送電力を適切に設定できる。
【０１７５】
図５を参照すると、図５は、本発明の実施形態に係るさらに別の電力制御方法の概略フローチャートである。方法は以下の段階を含む。
【０１７６】
段階Ｓ４０１．第２のユーザ直接接続通信Ｄ２Ｄデバイスは、第１の伝送電力で第１のＤ２Ｄデバイスにより送信された第１のメッセージを受信し、第１のメッセージは、第１のＤ２Ｄデバイスの期待されるカバレッジ性能に関する情報を運ぶ。
【０１７７】
この段階は、前述の実施形態における段階Ｓ３０１と同じである。必要に応じて、第１のメッセージは、ネットワークデバイスにより指示される時間‐周波数リソースの位置に対応する時間‐周波数リソース上で送信されてよい。
【０１７８】
段階Ｓ４０２．第２のＤ２Ｄデバイスは、第１のメッセージに従って第２のＤ２Ｄデバイスに対する第１のＤ２Ｄデバイスの実際のカバレッジ性能を取得する。
【０１７９】
この段階は、前述の実施形態における段階Ｓ３０２と同じである。
【０１８０】
例えば、カバレッジ性能はカバレッジ距離である。第２のＤ２Ｄデバイスは、測位装置を有し、測位システム（例えば、ＧＰＳ）を用いることにより第２のＤ２Ｄデバイスの位置情報を取得でき、第１のメッセージは、第１のＤ２Ｄデバイスの現在位置をさらに含んでよい。故に、第２のＤ２Ｄデバイスは、第１のＤ２Ｄデバイスの現在位置及び測位システムを用いることにより取得した第２のＤ２Ｄデバイスの位置情報に従って第２のＤ２Ｄデバイスと第１のＤ２Ｄデバイスとの間の距離を計算によって取得できる。第１のＤ２Ｄデバイスの近くの複数の第２のＤ２Ｄデバイスがあり、メッセージを正しくデコードする能力を有する第２のＤ２Ｄデバイスにより、計算によって取得した距離は互いに変化する。パラメータ、すなわちメッセージのカバレッジ比率が定義される。カバレッジ比率は、メッセージの期待されるカバレッジ距離に対するメッセージの実際のカバレッジ距離の比として定義される。メッセージのカバレッジが期待と一致するか否かはカバレッジ比率に従って取得され得る。例えば、１より大きいカバレッジ比率は、実際のカバレッジ距離が、期待されるカバレッジ距離より長いことを表し、１より小さいカバレッジ比率は、実際のカバレッジ距離が、期待されるカバレッジ距離より短いことを表す。
【０１８１】
段階Ｓ４０３．第２のＤ２Ｄデバイスは、ネットワークデバイスにより送信された時間‐周波数リソース指示メッセージを取得し、時間‐周波数リソース指示メッセージは、時間‐周波数リソースの位置に関する情報を含む。
【０１８２】
段階Ｓ４０４．第２のＤ２Ｄデバイスは、時間‐周波数リソースの位置に対応する時間‐周波数リソース上で、ネットワークデバイスに第２のメッセージを送信し、第２のメッセージが、期待されるカバレッジ性能に対する実際のカバレッジ性能のカバレッジ比率を運ぶことで、ネットワークデバイスは、カバレッジ比率に従って電力調整指示メッセージを生成し、第１のＤ２Ｄデバイスに電力調整指示メッセージを送信する。
【０１８３】
第２のＤ２Ｄデバイスは、ネットワークデバイスにカバレッジ比率をフィードバックする必要がある。ネットワークデバイスは、カバレッジ比率を運ぶ第２のメッセージが送信される時間‐周波数リソース上の位置を第２のＤ２Ｄデバイスに示す。第２のＤ２Ｄデバイスは、ネットワークデバイスにより送信された時間‐周波数リソース指示メッセージを取得する。指示メッセージは時間‐周波数リソースの位置を含む。第２のＤ２Ｄデバイスは、時間‐周波数リソースの位置に対応する時間‐周波数リソース上で、ネットワークデバイスに第２のメッセージを送信することで、ネットワークデバイスに第２のメッセージを確実に送信する。
【０１８４】
段階Ｓ４０１からＳ４０３を実行する順序が本明細書において限定されるものではないことに留意すべきである。第２のＤ２Ｄデバイスは、第１のＤ２Ｄデバイスから第１のメッセージを受信する前に、ネットワークデバイスにより送信された時間‐周波数リソース指示メッセージを代わりに取得してよい。
【０１８５】
ブロードキャストシナリオにおいて、別のＤ２Ｄデバイスはまた、第１のＤ２Ｄデバイスにより送信された第１のメッセージを受信してもよい。各第２のＤ２Ｄデバイスは、第２のＤ２Ｄデバイスと第１のＤ２Ｄデバイスとの間の距離を取得できるが、第２のＤ２Ｄデバイスは、第２のＤ２Ｄデバイスと第１のＤ２Ｄデバイスとの間の距離が最も遠いか否かわからない、すなわち、計算によって第２のＤ２Ｄデバイスにより取得されたメッセージのカバレッジ比率が、全ての第２のＤ２Ｄデバイスの中で最大であるか否かわからない。シグナリングオーバーヘッド及び第２のＤ２Ｄデバイス間の距離の比較に起因する複雑性を低減すべく、分散競合比較及びフィードバックメカニズムが本発明の本実施形態において設計される。ネットワークデバイスは、第２のＤ２Ｄデバイス及び別のＤ２Ｄデバイスのカバレッジ性能フィードバックに用いられるフィードバックリソースプールを、第２のＤ２Ｄデバイス及び別のＤ２Ｄデバイスに設定し、時間‐周波数リソース指示メッセージを用いることにより第２のＤ２Ｄデバイスにフィードバックリソースプールに関する情報を指示する。故に、第２のＤ２Ｄデバイスは、カバレッジ性能フィードバックに用いられることができるリソースプールに関する情報を取得できる。第２のメッセージが送信される時間‐周波数リソース上の位置はフィードバックリソースプールを構成する。
【０１８６】
段階Ｓ４０３の後、段階Ｓ４０４の前に、方法は以下の段階をさらに含んでよい。
【０１８７】
段階Ａ．第２のＤ２Ｄデバイスは、フィードバックリソースプール内の時間‐周波数リソースの位置を別のＤ２Ｄデバイスと競合する。
【０１８８】
故に、段階Ｓ４０４は、具体的には、第２のＤ２Ｄデバイスが、競合によって取得した時間‐周波数リソースの位置に対応する時間‐周波数リソース上でネットワークデバイスに第２のメッセージを送信することを含む。
【０１８９】
具体的には、段階Ａは以下の段階を含む。
【０１９０】
段階Ａ１．第２のＤ２Ｄデバイスは、フィードバックリソースプール内の時間‐周波数リソースを競合するためにタイマを設定し、タイマのタイミング値は、独立変数がカバレッジ比率を表す単調減少関数の値である。
【０１９１】
段階Ａ２．第２のＤ２Ｄデバイスは、別のＤ２Ｄデバイスとともに一斉に時間を測定することを開始して、フィードバックリソースプール内の時間‐周波数リソースの位置を競合し、別のＤ２Ｄデバイスもタイマを設定する。
【０１９２】
段階Ａ３．第２のＤ２Ｄデバイスにより設定されたタイマが最初に満了した場合に、第２のＤ２Ｄデバイスは、フィードバックリソースプール内の時間‐周波数リソースを競合によって取得する。
【０１９３】
第１のＤ２Ｄデバイスからの送信されたメッセージを正しくデコードした後、リソースプールの到着時に、複数の第２のＤ２Ｄデバイスは、フィードバックタイマをそれぞれ開始する。ひとたび開始されると、複数のタイマは、同じ速度でカウントダウンする。ひとたびタイマがゼロに戻ると、メッセージがリソースプールから競合によって取得されたリソース上で送信され、タイマの値が−１に設定される。本明細書において、複数の第２のＤ２Ｄデバイスは、それぞれのフィードバックタイマの値をｆ（カバレッジ比率）に設定し、ここで、ｆ（）関数は、単調減少関数となることが要求される。故に、最大カバレッジ比率を有する第２のＤ２Ｄデバイスに対応するフィードバックタイマは最小値を有し、第２のＤ２Ｄデバイスは、リソースプール内のリソースを最初に入手でき、対応するカバレッジ比率及び第１のＤ２Ｄデバイスの識別子をブロードキャストできる。タイマがゼロに戻る前、全ての第２のＤ２Ｄデバイスはリソースプールにおけるリッスン状態である。ひとたび第２のＤ２Ｄデバイスがリソースを奪い取ったことを見つけると、他の第２のＤ２Ｄデバイスは、送信されたメッセージから第１のＤ２Ｄデバイスの識別子を解析することを試みる。メッセージに含まれる第１のＤ２Ｄデバイスの識別子が、予め受信したメッセージから取得した第１のＤ２Ｄデバイスの識別子と同じである場合、他の第２のＤ２Ｄデバイスは、タイマの値を−１に設定し、フィードバックを取りやめる。最大カバレッジ比率を有する第２のＤ２Ｄデバイスが最高の実際のカバレッジ性能を有する受信デバイスである。ネットワークデバイスは、最大カバレッジ比率を取得し、最大カバレッジ比率に従って電力調整指示メッセージを生成できる。この方法では、別のＤ２Ｄデバイスは、それ以上カバレッジ比率に関する情報をフィードバックする必要はなく、それにより、シグナリングオーバーヘッドを低減させる。
【０１９４】
ネットワークデバイスは、リソースプール全体においてリッスンを実行し、ひいては、第２のＤ２Ｄデバイスによりフィードバックされたカバレッジ性能情報を取得することもでき、カバレッジ性能情報は、第２のＤ２Ｄデバイスによりフィードバックされたカバレッジ比率及び対応する第１のＤ２Ｄデバイスの識別子に関する情報を含む。ネットワークデバイスは、どのように第１のＤ２Ｄデバイスの伝送電力を調整して電力制御指示メッセージを生成するかを、情報に従って決定できる。例えば、第２のＤ２Ｄデバイスによりフィードバックされたカバレッジ比率が１より大きい場合、第１のＤ２Ｄデバイスに設定された伝送電力が高く、適切に減少されるべきであると判断され得る。第２のＤ２Ｄデバイスによりフィードバックされたカバレッジ比率が１より小さい場合、第１のＤ２Ｄデバイスに設定された伝送電力が低く、適切に増加されるべきであると判断される。第２のＤ２Ｄデバイスによりフィードバックされたカバレッジ比率が１に等しい場合、第１のＤ２Ｄデバイスに設定された伝送電力が適切であり、調整する必要がないと判断され得る。電力制御指示メッセージはＮビットを含み、ここで、Ｎは正の整数であり、２Ｎの場合が示され得る。例えば、Ｎ＝３の場合、−４、−３、−２、−１、１、２、３及び４のような８つの場合が示されることができ、ここで、値は電力調整値を表し、単位はデシベル（ｄＢ）であってよい。
【０１９５】
本発明の本実施形態において提供される電力制御方法によれば、第２のユーザ直接接続通信デバイスが、第１のユーザ直接接続通信デバイスの期待されるカバレッジ性能に対する、第２のユーザ直接接続通信デバイスに対する第１のユーザ直接接続通信デバイスの実際のカバレッジ性能のカバレッジ比率をネットワークデバイスに送信し、ネットワークデバイスが、カバレッジ比率に従って電力調整指示メッセージを生成し、第１のユーザ直接接続通信デバイスに電力調整指示メッセージを送信し、第１のユーザ直接接続通信デバイスが電力調整指示メッセージに従って伝送電力を制御することで、第１のユーザ直接接続通信デバイスは、第１のユーザ直接接続通信デバイスの実際のカバレッジ性能を期待されるカバレッジ性能と一致させるように、その伝送電力を適切に設定できる。さらに、ネットワークデバイスが時間‐周波数リソースプールをさらに設定し、複数の第２のユーザ直接接続通信デバイスが時間‐周波数リソースを競合することで、競合によって取得した時間‐周波数リソース上で第２のメッセージを送信する。さらに、タイマが設定されることで、第２のユーザ直接接続通信デバイスが時間‐周波数リソースを奪い取ったことをリッスンを通じて学習した場合に、全ての他の第２のユーザ直接接続通信デバイスは、第２のメッセージをフィードバックすることを取りやめてよく、それによりシグナリングオーバーヘッドを低減させる。
【０１９６】
図６を参照すると、図６は、本発明の実施形態に係るさらに別の電力制御方法の概略フローチャートである。方法は以下の段階を含む。
【０１９７】
段階Ｓ５０１．ネットワークデバイスは、第２のＤ２Ｄデバイスにより送信された第２のメッセージを受信し、第２のメッセージは、第１のＤ２Ｄデバイスの期待されるカバレッジ性能に対する実際のカバレッジ性能のカバレッジ比率を運び、実際のカバレッジ性能は、第２のＤ２Ｄデバイスに対する第１のＤ２Ｄデバイスの実際のカバレッジ性能であり、期待されるカバレッジ性能は、第１のＤ２Ｄデバイスにより、第１の伝送電力で第２のＤ２Ｄデバイスに送信された第１のメッセージで運ばれる。
【０１９８】
第２のＤ２Ｄデバイスは、第１の伝送電力で第１のＤ２Ｄデバイスにより送信された第１のメッセージを受信する。第１のメッセージは第１のＤ２Ｄデバイスの期待されるカバレッジ性能を含む。ここで、期待されるカバレッジ性能は、期待されるカバレッジ距離、期待される受信レベル、又は期待される受信信号対干渉雑音比のうちのいずれか１つを含む。第１のメッセージを受信した後に、第２のＤ２Ｄデバイスは、第１のメッセージを解析して、第２のＤ２Ｄデバイスに対する第１のＤ２Ｄデバイスの実際のカバレッジ性能を取得する。実際のカバレッジ性能は、実際のカバレッジ距離、実際の受信レベル、又は実際の受信信号対干渉雑音比のうちのいずれか１つを同様に含んでよい。パラメータ、すなわちカバレッジ比率がここで定義される。カバレッジ比率は、期待されるカバレッジ性能に対する第２のＤ２Ｄデバイスの実際のカバレッジ性能の比として定義される。第１のメッセージのカバレッジが期待と一致するか否かはカバレッジ比率に従って取得され得る。第１のメッセージのカバレッジが期待と一致するか否かはカバレッジ比率を定義することでより少ないメッセージコンテンツで単純に反映され得る。
【０１９９】
必要に応じて、第２のメッセージは第１のＤ２Ｄデバイスの識別子をさらに含む。
【０２００】
第２のＤ２Ｄデバイスはネットワークデバイスに第２のメッセージを送信し、第２のメッセージはカバレッジ比率を運ぶ。
【０２０１】
必要に応じて、段階Ｓ５０１の前に、ネットワークデバイスが第２のＤ２Ｄデバイスに時間‐周波数リソース指示メッセージを送信し、時間‐周波数リソース指示メッセージが時間‐周波数リソースの位置に関する情報を含むことで、第２のＤ２Ｄデバイスは、時間‐周波数リソースの位置に対応する時間‐周波数リソース上で、ネットワークデバイスに第２のメッセージを送信する。
【０２０２】
必要に応じて、第１のＤ２Ｄデバイスが複数の第２のＤ２Ｄデバイスに第１のメッセージをブロードキャストするシナリオにおいて、ネットワークデバイスは複数の第２のＤ２Ｄデバイスに対するフィードバックリソースプールを設定する。フィードバックリソースプールは、１又は複数の時間‐周波数リソースの１つの位置又は複数の位置を含む。段階Ｓ５０１は、具体的には、ネットワークデバイスが、複数の第２のＤ２Ｄデバイスのうち、フィードバックリソースプール内の時間‐周波数リソースの位置を競合によって取得する第２のＤ２Ｄデバイスにより、競合によって取得した時間‐周波数リソース上で送信される第２のメッセージを受信することを含む。
【０２０３】
段階Ｓ５０２．ネットワークデバイスは、カバレッジ比率に従って電力調整指示メッセージを生成する。
【０２０４】
ネットワークデバイスは、受信したカバレッジ比率に従って第１のＤ２Ｄデバイスのための電力調整指示メッセージを生成する。具体的には、第２のＤ２Ｄデバイスによりフィードバックされたカバレッジ比率が１より大きい場合、ネットワークデバイスは、第１のＤ２Ｄデバイスに設定された第１の伝送電力が高く、適切に減少されるべきであると判断され得る。第２のＤ２Ｄデバイスによりフィードバックされたカバレッジ比率が１より小さい場合、ネットワークデバイスは、第１のＤ２Ｄデバイスに設定された第１の伝送電力が低く、適切に増加されるべきであると判断し得る。第２のＤ２Ｄデバイスによりフィードバックされたカバレッジ比率が１に等しい場合、ネットワークデバイスは、第１のＤ２Ｄデバイスに設定された伝送電力が適切であり、調整する必要がないと判断し得る。ネットワークデバイスは電力調整指示メッセージにこれらの結果を含める。
【０２０５】
電力調整指示メッセージは、伝送電力調整段階を含んでよく、又は、具体的な伝送電力値を含んでよい。電力調整指示メッセージは伝送電力調整段階を指示する情報を含む。伝送電力調整段階を指示する情報は、具体的にはＮビットであってよく、ここで、Ｎは正の整数であり、２Ｎの場合が示され得る。例えば、Ｎ＝３の場合、−４、−３、−２、−１、１、２、３及び４のような８つの場合が示されることができ、値は伝送電力調整段階値を表し、単位はデシベル（ｄＢ）であってよい。
【０２０６】
段階Ｓ５０３．ネットワークデバイスが第１のＤ２Ｄデバイスに電力調整指示メッセージを送信することで、第１のＤ２Ｄデバイスは、電力調整指示メッセージに従って第２の伝送電力となるように第１のメッセージの伝送電力を調整する。
【０２０７】
ネットワークデバイスは第１のＤ２Ｄデバイスに電力調整指示メッセージを送信する。第１のＤ２Ｄデバイスは、ネットワークデバイスにより送信された電力調整指示メッセージに従って第２の伝送電力となるように第１のメッセージの伝送電力を調整する。調整制御が実際のカバレッジ性能に従って伝送電力に実行され、ひいては、第１のＤ２Ｄデバイスの実際のカバレッジ性能が、期待されるカバレッジ性能と一致し得る。
【０２０８】
本発明の本実施形態において提供される電力制御方法によれば、ネットワークデバイスが、第１のユーザ直接接続通信デバイスの期待されるカバレッジ性能に対する、第２のユーザ直接接続通信デバイスに対する第１のユーザ直接接続通信デバイスの実際のカバレッジ性能のカバレッジ比率に従って電力調整指示メッセージを生成し、第１のユーザ直接接続通信デバイスに電力調整指示メッセージを送信し、第１のユーザ直接接続通信デバイスが電力調整指示メッセージに従って伝送電力を制御することで、第１のユーザ直接接続通信デバイスは、第１のユーザ直接接続通信デバイスの実際のカバレッジ性能を期待されるカバレッジ性能と一致させるように、その伝送電力を適切に設定できる。
【０２０９】
図７及び図８を参照して、以下では、本発明に係る電力制御方法の別のセットが実施形態において詳細に説明される。
【０２１０】
図７を参照すると、図７は、本発明の実施形態に係るさらに別の電力制御方法の概略フローチャートである。方法は以下の段階を含む。
【０２１１】
段階Ｓ６０１．第１のユーザ直接接続通信Ｄ２Ｄデバイスは、第１の伝送電力で第２のＤ２Ｄデバイスに第１のメッセージを送信し、第１のメッセージが、期待されるカバレッジ性能に関する情報を運ぶことで、第２のＤ２Ｄデバイスは、第１のメッセージ、及び第２のＤ２Ｄデバイスに対する第１のＤ２Ｄデバイスの実際のカバレッジ性能に従って第１のＤ２Ｄデバイスに第２のメッセージを送信し、第２のメッセージは、期待されるカバレッジ性能に対する実際のカバレッジ性能のカバレッジ比率を運ぶ。
【０２１２】
必要に応じて、段階Ｓ６０１の前に、第１のＤ２Ｄデバイスは、ネットワークデバイスにより第１のＤ２Ｄデバイスに指示される時間‐周波数リソース指示を受信する。時間‐周波数リソース指示メッセージは時間‐周波数リソースの位置に関する情報を含む。段階Ｓ６０１は、具体的には、第１のＤ２Ｄデバイスが、時間‐周波数リソースの位置に対応する時間‐周波数リソース上において、第１の伝送電力で第２のＤ２Ｄデバイスに第１のメッセージを送信することを含む。
【０２１３】
実際のカバレッジ性能は、実際のカバレッジ距離、実際の受信レベル、又は実際の受信信号対干渉雑音比のうちのいずれか１つを含む。期待されるカバレッジ性能は、期待されるカバレッジ距離、期待される受信レベル、又は期待される受信信号対干渉雑音比のうちのいずれか１つを含む。
【０２１４】
段階Ｓ６０２．第１のＤ２Ｄデバイスは、第２のＤ２Ｄデバイスにより送信された第２のメッセージを受信する。
【０２１５】
必要に応じて、第２のメッセージは、ネットワークデバイスにより第２のＤ２Ｄデバイスに指示される時間‐周波数リソース上で、第２のＤ２Ｄデバイスにより第１のＤ２Ｄデバイスに送信されてよい。
【０２１６】
必要に応じて、第１のＤ２Ｄデバイスが複数の第２のＤ２Ｄデバイスに第１のメッセージをブロードキャストするシナリオにおいて、第２のメッセージは、ネットワークデバイスのフィードバックリソースプール内の競合によって取得した時間‐周波数リソース上で、第２のＤ２Ｄデバイスにより第１のＤ２Ｄデバイスに送信されてよく、第２のＤ２Ｄデバイスは、フィードバックリソースプール内の時間‐周波数リソースを競合する複数の第２のＤ２Ｄデバイスの中で、時間‐周波数リソースを競合によって最初に取得する。
【０２１７】
段階Ｓ６０３．第１のＤ２Ｄデバイスは、カバレッジ比率に従って第２の伝送電力となるように第１のメッセージの伝送電力を調整する。
【０２１８】
この段階は具体的には以下の段階を含む。
【０２１９】
段階Ｂ１．第１のＤ２Ｄデバイスは、カバレッジ比率に従って伝送電力調整段階を決定する。
【０２２０】
段階Ｂ２．第１のＤ２Ｄデバイスは、伝送電力調整段階に従って第２の伝送電力を取得して、第２の伝送電力で第１のメッセージを送信し、第２の伝送電力は、第１のＤ２Ｄデバイスの最大定格伝送電力と、第１の伝送電力及び伝送電力調整段階値の合計とのうち小さい方の電力値である。
【０２２１】
本実施形態において、第２のＤ２Ｄデバイスは第２のメッセージ内にカバレッジ比率を含める。第２のＤ２Ｄデバイスは第１のＤ２Ｄデバイスに第２のメッセージを送信する。第１のＤ２Ｄデバイスは、第２のＤ２Ｄデバイスにより送信された第２のメッセージを受信し、第２のメッセージ内のカバレッジ比率に従って第１のメッセージの伝送電力を調整する。他の実装処理について、例えば、第１のメッセージ及び第２のメッセージを送信する処理、カバレッジ比率を取得する処理、及び伝送電力を調整する処理は、実施形態の第１セットを参照する。
【０２２２】
本発明の本実施形態において提供される電力制御方法によれば、第２のユーザ直接接続通信デバイスが、第１のユーザ直接接続通信デバイスの期待されるカバレッジ性能に対する、第２のユーザ直接接続通信デバイスに対する第１のユーザ直接接続通信デバイスの実際のカバレッジ性能のカバレッジ比率を取得し、第１のユーザ直接接続通信デバイスにカバレッジ比率をフィードバックし、第１のユーザ直接接続通信デバイスがカバレッジ比率に従って第１のメッセージの伝送電力を調整することで、第１のユーザ直接接続通信デバイスは、第１のユーザ直接接続通信デバイスの実際のカバレッジ性能を期待されるカバレッジ性能と一致させるように、その伝送電力を適切に設定できる。
【０２２３】
図８を参照すると、図８は、本発明の実施形態に係るさらに別の電力制御方法の概略フローチャートである。方法は以下の段階を含む。
【０２２４】
段階Ｓ７０１．第２のユーザ直接接続通信Ｄ２Ｄデバイスは、第１の伝送電力で第１のＤ２Ｄデバイスにより送信された第１のメッセージを受信し、第１のメッセージは、第１のＤ２Ｄデバイスの期待されるカバレッジ性能に関する情報を運ぶ。
【０２２５】
段階Ｓ７０２．第２のＤ２Ｄデバイスは、第２のＤ２Ｄデバイスに対する第１のＤ２Ｄデバイスの実際のカバレッジ性能を取得する。
【０２２６】
段階Ｓ７０３．第２のＤ２Ｄデバイスは第１のＤ２Ｄデバイスに第２のメッセージを送信し、第２のメッセージは、期待されるカバレッジ性能に対する実際のカバレッジ性能のカバレッジ比率を運ぶ。
【０２２７】
必要に応じて、この段階の前に、方法は、第２のＤ２Ｄデバイスが、ネットワークデバイスにより送信された時間‐周波数リソース指示メッセージを取得し、時間‐周波数リソース指示メッセージは、第２のメッセージが送信される時間‐周波数リソース上の位置に関する情報を含む、段階Ｃをさらに含んでよい。故に、段階Ｓ７０３は、具体的には、第２のＤ２Ｄデバイスが時間‐周波数リソースの位置に対応する時間‐周波数リソース上で、第１のＤ２Ｄデバイスに第２のメッセージを送信する、段階Ｄである。
【０２２８】
必要に応じて、別のＤ２Ｄデバイスが第１のＤ２Ｄデバイスにより送信された第１のメッセージも受信するシナリオにおいて、時間‐周波数リソース指示メッセージは、第２のＤ２Ｄデバイス及び別のＤ２Ｄデバイスのためにネットワークデバイスにより設定されたフィードバックリソースプールを含む。フィードバックリソースプールは、少なくとも１つの時間‐周波数リソースの位置を含む。
【０２２９】
方法は、第２のＤ２Ｄデバイスが、フィードバックリソースプール内の時間‐周波数リソースの位置を別のＤ２Ｄデバイスと競合し、第２のメッセージが送信される時間‐周波数リソース上の位置に関する情報は、第２のメッセージが送信される少なくとも１つの時間‐周波数リソース上の位置に関する情報であり、第２のメッセージが送信される時間‐周波数リソースの位置はフィードバックリソースプールを構成する、段階Ｅをさらに含む。
【０２３０】
故に、段階Ｄは、具体的には、第２のＤ２Ｄデバイスが、競合によって取得した時間‐周波数リソースの位置に対応する時間‐周波数リソース上で、第１のＤ２Ｄデバイスに第２のメッセージを送信する。
【０２３１】
具体的には、段階Ｅは以下の段階をさらに含む。
【０２３２】
段階Ｅ１：第２のＤ２Ｄデバイスは、フィードバックリソースプール内の時間‐周波数リソースを競合するためにタイマを設定し、タイマのタイミング値は、独立変数がカバレッジ比率を表す単調減少関数の値である。
【０２３３】
段階Ｅ２．第２のＤ２Ｄデバイスは、別のＤ２Ｄデバイスとともに一斉に時間を測定することを開始して、フィードバックリソースプール内の時間‐周波数リソースの位置を競合し、別のＤ２Ｄデバイスもタイマを設定する。
【０２３４】
段階Ｅ３．第２のＤ２Ｄデバイスにより設定されたタイマが最初に満了した場合に、第２のＤ２Ｄデバイスは、フィードバックリソースプール内の時間‐周波数リソースを競合によって取得する。
【０２３５】
本実施形態において、第２のＤ２Ｄデバイスは第２のメッセージにカバレッジ比率を含める。第２のＤ２Ｄデバイスは第１のＤ２Ｄデバイスに第２のメッセージを送信する。第１のＤ２Ｄデバイスは、第２のＤ２Ｄデバイスにより送信された第２のメッセージを受信し、第２のメッセージ内のカバレッジ比率に従って第１のメッセージの伝送電力を調整する。他の実装処理について、例えば、第１のメッセージ及び第２のメッセージを送信する処理、カバレッジ比率を取得する処理、及び伝送電力を調整する処理は、実施形態の第１セットを参照する。
【０２３６】
本発明の本実施形態において提供される電力制御方法によれば、第２のユーザ直接接続通信デバイスが、第１のユーザ直接接続通信デバイスの期待されるカバレッジ性能に対する、第２のユーザ直接接続通信デバイスに対する第１のユーザ直接接続通信デバイスの実際のカバレッジ性能のカバレッジ比率を取得し、第１のユーザ直接接続通信デバイスにカバレッジ比率をフィードバックし、第１のユーザ直接接続通信デバイスがカバレッジ比率に従って第１のメッセージの伝送電力を調整することで、第１のユーザ直接接続通信デバイスは、第１のユーザ直接接続通信デバイスの実際のカバレッジ性能を期待されるカバレッジ性能と一致させるように、その伝送電力を適切に設定できる。
【０２３７】
図２から図８における本発明の前述した方法の実施形態を実装するために、第１のＤ２Ｄデバイス、第２のＤ２Ｄデバイス、及びネットワークデバイスがさらに提供される。
【０２３８】
図９から図１１を参照して、以下では、本発明において提供される電力制御解決手段の第１セットに関するデバイスが実施形態において詳細に説明される。
【０２３９】
図９を参照すると、図９は、本発明の実施形態に係る第１のユーザ直接接続通信Ｄ２Ｄデバイスの概略構造図である。第１のＤ２Ｄデバイス１０００は、送信ユニット１１、受信ユニット１２、及び処理ユニット１３を含む。
【０２４０】
送信ユニット１１は、第１の伝送電力で第２のＤ２Ｄデバイスに第１のメッセージを送信するように構成され、第１のメッセージが第１のＤ２Ｄデバイスの期待されるカバレッジ性能を運ぶことで、第２のＤ２Ｄデバイスは、第１のメッセージ、及び第２のＤ２Ｄデバイスに対する第１のＤ２Ｄデバイスの実際のカバレッジ性能に従ってネットワークデバイスに第２のメッセージを送信し、第２のメッセージが、期待されるカバレッジ性能に対する実際のカバレッジ性能のカバレッジ比率を運ぶことで、ネットワークデバイスは、カバレッジ比率に従って電力調整指示メッセージを生成し、第１のＤ２Ｄデバイスに電力調整指示メッセージを送信する。
【０２４１】
送信ユニット１１は、第１の伝送電力で第２のＤ２Ｄデバイスに第１のメッセージを送信する。第１のＤ２Ｄデバイスが初めて第１のメッセージを送信するために、初期の規定電力（例えば、最大定格電力）でメッセージが送信されてよい。第１のメッセージは第１のＤ２Ｄデバイスの期待されるカバレッジ性能を含む。ここで、期待されるカバレッジ性能は、期待されるカバレッジ距離、期待される受信レベル、又は期待される受信信号対干渉雑音比のうちのいずれか１つを含む。
【０２４２】
必要に応じて、期待されるカバレッジ性能が、期待されるカバレッジ距離である場合、第１のメッセージは第１のＤ２Ｄデバイスの位置情報をさらに含む。
【０２４３】
必要に応じて、第１のメッセージは第１のＤ２Ｄデバイスの識別子をさらに含む。
【０２４４】
例えば、Ｄ２Ｄブロードキャストシステムでは、送信ユニット１１が第１のメッセージを送信した後に、送信ユニット１１の近くの全てのＤ２Ｄデバイス（すなわち、第２のＤ２Ｄデバイス）は、メッセージをデコードすることを試みる。メッセージを正しくデコードする能力がある第２のＤ２Ｄデバイスは、メッセージ内で運ばれた第１のＤ２Ｄデバイスの期待されるカバレッジ性能に関する情報を取得できる。ここで、「送信すること」は、ブロードキャスト動作である。
【０２４５】
第１のメッセージを受信した後に、第２のＤ２Ｄデバイスは、第１のメッセージを解析して、第２のＤ２Ｄデバイスに対する第１のＤ２Ｄデバイスの実際のカバレッジ性能を取得する。実際のカバレッジ性能は、実際のカバレッジ距離、実際の受信レベル、又は実際の受信信号対干渉雑音比のうちのいずれか１つを同様に含んでよい。例えば、カバレッジ性能はカバレッジ距離である。第１のＤ２Ｄデバイスの近くに複数の第２のＤ２Ｄデバイスがあり得、複数の第２のＤ２Ｄデバイスと第１のＤ２Ｄデバイスとの間の距離が変化し得るので、各第２のＤ２Ｄデバイスは、第２のＤ２Ｄデバイスの位置情報及び第１のＤ２Ｄデバイスの位置情報に従って第２のＤ２Ｄデバイスと第１のＤ２Ｄデバイスとの間の実際のカバレッジ距離を取得してよい。同様に、期待されるカバレッジ性能が、期待される受信レベル又は期待される受信信号対干渉雑音比である場合、第２のＤ２Ｄデバイスは、第１のメッセージを受信するために、実際の受信レベル又は実際の受信信号対干渉雑音比を取得してよい。
【０２４６】
パラメータ、すなわちカバレッジ比率がここで定義される。カバレッジ比率は、期待されるカバレッジ性能に対する、第１のメッセージを正しくデコードする能力がある各第２のＤ２Ｄデバイスの実際のカバレッジ性能の比として定義される。第１のメッセージのカバレッジが期待と一致するか否かはカバレッジ比率に従って取得され得る。カバレッジ距離を例として用いる場合、１より大きいカバレッジ比率は、実際のカバレッジ距離が、期待されるカバレッジ距離より長いことを表し、１より小さいカバレッジ比率は、実際のカバレッジ距離が、期待されるカバレッジ距離より短いことを表す。第１のメッセージのカバレッジが期待と一致するか否かはカバレッジ比率を定義することにより単純かつ明確に反映され得る。
【０２４７】
そして、第２のＤ２Ｄデバイスはネットワークデバイスに第２のメッセージを送信し、第２のメッセージはカバレッジ比率を運ぶ。ネットワークデバイスは、受信したカバレッジ比率に従って第１のＤ２Ｄデバイスのための電力調整指示メッセージを生成し、第１のＤ２Ｄデバイスに電力調整指示メッセージを送信する。具体的には、第２のＤ２Ｄデバイスによりフィードバックされたカバレッジ比率が１より大きい場合、ネットワークデバイスは、第１のＤ２Ｄデバイスに設定された第１の伝送電力が高く、適切に減少されるべきであると判断し得る。第２のＤ２Ｄデバイスによりフィードバックされたカバレッジ比率が１より小さい場合、ネットワークデバイスは、第１のＤ２Ｄデバイスに設定された第１の伝送電力が低く、適切に増加されるべきであると判断し得る。第２のＤ２Ｄデバイスによりフィードバックされたカバレッジ比率が１に等しい場合、ネットワークデバイスは、第１のＤ２Ｄデバイスに設定された伝送電力が適切であり、調整する必要がないと判断し得る。ネットワークデバイスは、電力調整指示メッセージにこれらの結果を含めて、第１のＤ２Ｄデバイスに電力調整指示メッセージを送信する。
【０２４８】
必要に応じて、第２のメッセージが第１のＤ２Ｄデバイスの識別子をさらに含むことで、ネットワークデバイスは、第１のＤ２Ｄデバイスに電力調整指示メッセージを送信する。
【０２４９】
受信ユニット１２は、ネットワークデバイスにより送信された電力調整指示メッセージを受信するように構成される。
【０２５０】
電力調整指示メッセージは、伝送電力調整段階を指示する情報を含んでよく、又は、具体的な伝送電力値を含んでよい。
【０２５１】
処理ユニット１３は、電力調整指示メッセージに従って第２の伝送電力となるように第１のメッセージの伝送電力を調整するように構成される。
【０２５２】
処理ユニット１３は、ネットワークデバイスにより送信された電力調整指示メッセージに従って第２の伝送電力となるように第１のメッセージの伝送電力を調整する。調整制御が実際のカバレッジ性能に従って伝送電力に実行され、ひいては、第１のＤ２Ｄデバイスの実際のカバレッジ性能が、期待されるカバレッジ性能と一致し得る。
【０２５３】
さらに図９を参照すると、本発明の本実施形態において提供される第１のＤ２Ｄデバイス１０００がさらに説明される。
【０２５４】
受信ユニット１２は、ネットワークデバイスにより第１のＤ２Ｄデバイスに指示される時間‐周波数リソース指示メッセージを受信するようにさらに構成され、時間‐周波数リソース指示メッセージは、時間‐周波数リソースの位置に関する情報を含む。
【０２５５】
１つのネットワークデバイスが１より多い第１のＤ２Ｄデバイスを通常管理するので、本発明の本実施形態におけるＤ２Ｄ通信はネットワークデバイスの助けに基づいてよく、ネットワークデバイスが、第１のＤ２Ｄデバイスにより占有される時間‐周波数リソースを示す、又は、第１のＤ２Ｄデバイスが、ネットワークデバイスの時間‐周波数リソースプール内の時間‐周波数リソースを競合する。具体的には、指示メッセージは時間‐周波数リソースの位置に関する情報を含む。これは、同じ時間‐周波数リソースの位置で複数の第１のＤ２Ｄデバイスにより実行されるメッセージ伝送に起因する第２のＤ２Ｄデバイスに対する伝送障害又は干渉を回避できる。
【０２５６】
送信ユニット１１は、時間‐周波数リソースの位置に対応する時間‐周波数リソース上において、第１の伝送電力で第２のＤ２Ｄデバイスに第１のメッセージを送信するように具体的に構成される。第１のメッセージが第１のＤ２Ｄデバイスの期待されるカバレッジ性能に関する情報を運ぶことで、第２のＤ２Ｄデバイスは、第１のメッセージ、及び第２のＤ２Ｄデバイスに対する第１のＤ２Ｄデバイスの実際のカバレッジ性能に従ってネットワークデバイスに第２のメッセージを送信する。第２のメッセージが、期待されるカバレッジ性能に対する実際のカバレッジ性能のカバレッジ比率を運ぶことで、ネットワークデバイスは、カバレッジ比率に従って電力調整指示メッセージを生成し、第１のＤ２Ｄデバイスに電力調整指示メッセージを送信する。
【０２５７】
前述の実施形態とは異なり、本実施形態では、送信ユニット１１は、ネットワークデバイスにより指示される時間‐周波数リソースの位置に対応する時間‐周波数リソース上で、第１のメッセージを送信する。
【０２５８】
第２のメッセージはまた、ネットワークデバイスにより指示される時間‐周波数リソース上で、送信ユニット１１によりネットワークデバイスに送信されてよいことに留意すべきである。具体的には、送信ユニット１１が複数の第２のＤ２Ｄデバイスに第１のメッセージをブロードキャストするシナリオにおいて、第２のメッセージは、ネットワークデバイスのフィードバックリソースプール内の競合によって取得した時間‐周波数リソース上で、第２のＤ２Ｄデバイスによりネットワークデバイスに送信されてよく、第２のＤ２Ｄデバイスは、フィードバックリソースプール内の時間‐周波数リソースを競合する複数の第２のＤ２Ｄデバイスの中で、時間‐周波数リソースを競合によって最初に取得する。
【０２５９】
受信ユニット１２は、ネットワークデバイスにより送信された電力調整指示メッセージを受信するように構成される。
【０２６０】
送信ユニット１１は、エアインタフェースを用いることにより、ネットワークデバイスにより送信された電力調整指示メッセージを受信する。エアインタフェースは、物理層シグナリング、媒体アクセス制御層シグナリング、又は無線リソース制御シグナリングを含んでよい。ネットワークデバイスは、エアインタフェースを用いることにより第１のＤ２Ｄデバイスに電力調整指示メッセージを送信してよく、これにより、第１のＤ２Ｄデバイスは、電力調整指示メッセージを迅速に取得できる。
【０２６１】
電力調整指示メッセージは伝送電力調整段階を指示する情報を含む。伝送電力調整段階を指示する情報は、具体的にはＮビットであり、ここで、Ｎは正の整数であり、２Ｎの場合が示され得る。例えば、Ｎ＝３の場合、−４、−３、−２、−１、１、２、３及び４のような８つの場合が示されることができ、値は伝送電力調整段階値を表し、単位はデシベル（ｄＢ）であってよい。
【０２６２】
処理ユニットは、電力調整指示メッセージに従って第２の伝送電力を取得して、第２の伝送電力で第１のメッセージを送信するように具体的に構成され、第２の伝送電力は、第１のＤ２Ｄデバイスの最大定格伝送電力と、第１の伝送電力及び伝送電力調整段階値の合計とのうち小さい方の電力値である。
【０２６３】
具体的には、受信ユニット１２がネットワークデバイスから電力調整指示メッセージを受信した後に、処理ユニット１３は、対応する伝送電力調整段階値を取得し、以下の式に従って第２の伝送電力を取得する。ＰＴＸ＝ｍｉｎ（Ｐｍａｘ,ＰＴＸ０+ｄｅｌｔａ）、ここで、ＰＴＸは第２の伝送電力であり、Ｐｍａｘは第１のＤ２Ｄデバイスの最大定格伝送電力であり、ＰＴＸ０は第１の伝送電力であり、ｄｅｌｔａは第１のＤ２Ｄデバイスの伝送電力調整段階値である。
【０２６４】
もちろん、電力調整指示メッセージが正確な第２の伝送電力を代わりに示してよい。
【０２６５】
本発明の本実施形態において提供される第１のユーザ直接接続通信デバイスによれば、ネットワークデバイスは、第１のユーザ直接接続通信デバイスの期待されるカバレッジ性能に対する、第２のユーザ直接接続通信デバイスに対する第１のユーザ直接接続通信デバイスの実際のカバレッジ性能のカバレッジ比率に従って電力調整指示メッセージを生成し、第１のユーザ直接接続通信デバイスに電力調整指示メッセージを送信し、第１のユーザ直接接続通信デバイスが電力調整指示メッセージに従って伝送電力を制御することで、第１のユーザ直接接続通信デバイスは、第１のユーザ直接接続通信デバイスの実際のカバレッジ性能を期待されるカバレッジ性能と一致させるように、その伝送電力を適切に設定できる。さらに、第１のユーザ直接接続通信デバイスは、ネットワークデバイスにより指示される時間‐周波数リソース上で第１のメッセージを送信する。これは、別の第１のユーザ直接接続通信デバイスとの時間‐周波数リソース衝突により引き起こされる第２のユーザ直接接続通信デバイスによる第１のメッセージの受信に対する伝送障害又は干渉を回避できる。
【０２６６】
図１０を参照すると、図１０は、本発明の実施形態に係る第２のＤ２Ｄデバイスの概略構造図である。第２のＤ２Ｄデバイスは、受信ユニット２１、処理ユニット２２、及び送信ユニット２３を含む。
【０２６７】
受信ユニット２１は、第１の伝送電力で第１のＤ２Ｄデバイスにより送信された第１のメッセージを受信するように構成され、第１のメッセージは、第１のＤ２Ｄデバイスの期待されるカバレッジ性能に関する情報を運ぶ。
【０２６８】
受信ユニット２１は、第１の伝送電力で第１のＤ２Ｄデバイスにより送信された第１のメッセージを受信する。第１のメッセージは第１のＤ２Ｄデバイスの期待されるカバレッジ性能を含む。ここで、期待されるカバレッジ性能は、期待されるカバレッジ距離、期待される受信レベル、又は期待される受信信号対干渉雑音比のうちのいずれか１つを含む。
【０２６９】
処理ユニット２２は、第２のＤ２Ｄデバイスに対する第１のＤ２Ｄデバイスの実際のカバレッジ性能を取得するように構成される。
【０２７０】
受信ユニット２１が第１のメッセージを受信した後に、処理ユニット２２は、第１のメッセージを解析して、第２のＤ２Ｄデバイスに対する第１のＤ２Ｄデバイスの実際のカバレッジ性能を取得する。実際のカバレッジ性能は、実際のカバレッジ距離、実際の受信レベル、又は実際の受信信号対干渉雑音比のうちのいずれか１つを同様に含んでよい。
【０２７１】
必要に応じて、第１のメッセージは第１のＤ２Ｄデバイスの識別子をさらに含む。
【０２７２】
例えば、カバレッジ性能はカバレッジ距離である。第１のＤ２Ｄデバイスの近くに複数の第２のＤ２Ｄデバイスがあり得、複数の第２のＤ２Ｄデバイスと第１のＤ２Ｄデバイスとの間の距離が変化し得るので、各第２のＤ２Ｄデバイスは、第２のＤ２Ｄデバイスの位置情報及び第１のＤ２Ｄデバイスの現在位置情報に従って第２のＤ２Ｄデバイスと第１のＤ２Ｄデバイスとの間の実際のカバレッジ距離を取得してよい。第１のメッセージは第１のＤ２Ｄデバイスの現在位置情報をさらに含んでよい。同様に、期待されるカバレッジ性能が、期待される受信レベル又は期待される受信信号対干渉雑音比である場合、第２のＤ２Ｄデバイスは、第１のメッセージを受信するために、実際の受信レベル又は実際の受信信号対干渉雑音比を取得してよい。
【０２７３】
送信ユニット２３は、ネットワークデバイスに第２のメッセージを送信するように構成され、第２のメッセージが、期待されるカバレッジ性能に対する実際のカバレッジ性能のカバレッジ比率を運ぶことで、ネットワークデバイスが、カバレッジ比率に従って電力調整指示メッセージを生成し、第１のＤ２Ｄデバイスに電力調整指示メッセージを送信する。
【０２７４】
パラメータ、すなわちカバレッジ比率がここで定義される。カバレッジ比率は、期待されるカバレッジ性能に対する第２のＤ２Ｄデバイスの実際のカバレッジ性能の比として定義される。第１のメッセージのカバレッジが期待と一致するか否かはカバレッジ比率に従って取得され得る。カバレッジ距離を例として用いる場合、１より大きいカバレッジ比率は、実際のカバレッジ距離が、期待されるカバレッジ距離より長いことを表し、１より小さいカバレッジ比率は、実際のカバレッジ距離が、期待されるカバレッジ距離より短いことを表す。第１のメッセージのカバレッジが期待と一致するか否かはカバレッジ比率を定義することにより単純かつ明確に反映され得る。
【０２７５】
送信ユニット２３はネットワークデバイスに第２のメッセージを送信し、第２のメッセージはカバレッジ比率を運ぶ。ネットワークデバイスは、受信したカバレッジ比率に従って第１のＤ２Ｄデバイスのための電力調整指示メッセージを生成し、第１のＤ２Ｄデバイスに電力調整指示メッセージを送信する。第１のＤ２Ｄデバイスは、ネットワークデバイスにより送信された電力調整指示メッセージに従って第２の伝送電力となるように第１のメッセージの伝送電力を調整する。
【０２７６】
必要に応じて、第２のメッセージが第１のＤ２Ｄデバイスの識別子をさらに含むことで、ネットワークデバイスは、第１のＤ２Ｄデバイスに電力調整指示メッセージを送信する。
【０２７７】
調整制御が実際のカバレッジ性能に従って伝送電力に実行され、ひいては、第１のＤ２Ｄデバイスの実際のカバレッジ性能が、期待されるカバレッジ性能と一致し得る。
【０２７８】
さらに図１０を参照すると、本発明の本実施形態において提供される第２のＤ２Ｄデバイス２０００がさらに説明される。
【０２７９】
受信ユニット２１は、第１の伝送電力で第１のＤ２Ｄデバイスにより送信される第１のメッセージを受信するように構成され、第１のメッセージは、第１のＤ２Ｄデバイスの期待されるカバレッジ性能に関する情報を運ぶ。
【０２８０】
受信ユニット２１の機能は、前述の実施形態における受信ユニット２１の機能と同じである。必要に応じて、第１のメッセージは、ネットワークデバイスにより指示される時間‐周波数リソースの位置に対応する時間‐周波数リソース上で送信されてよい。
【０２８１】
処理ユニット２２は、第１のメッセージに従って第２のＤ２Ｄデバイスに対する第１のＤ２Ｄデバイスの実際のカバレッジ性能を取得するように構成される。
【０２８２】
処理ユニット２２の機能は、前述の実施形態における処理ユニット２２の機能と同じである。
【０２８３】
例えば、カバレッジ性能はカバレッジ距離である。第２のＤ２Ｄデバイスは、測位装置を有し、測位システム（例えば、ＧＰＳ）を用いることにより第２のＤ２Ｄデバイスの位置情報を取得でき、第１のメッセージは、第１のＤ２Ｄデバイスの現在位置をさらに含んでよい。故に、処理ユニット２２は、第１のＤ２Ｄデバイスの現在位置及び測位システムを用いることにより取得される処理ユニット２２の位置情報に従って処理ユニット２２と第１のＤ２Ｄデバイスとの間の距離を計算によって取得できる。第１のＤ２Ｄデバイスの近くに複数の第２のＤ２Ｄデバイスがあり、メッセージを正しくデコードする能力を有する第２のＤ２Ｄデバイスにより、計算によって取得した距離は互いに変化する。パラメータ、すなわちメッセージのカバレッジ比率が定義される。カバレッジ比率は、メッセージの期待されるカバレッジ距離に対するメッセージの実際のカバレッジ距離の比として定義される。メッセージのカバレッジが期待と一致するか否かはカバレッジ比率に従って取得され得る。例えば、１より大きいカバレッジ比率は、実際のカバレッジ距離が、期待されるカバレッジ距離より長いことを表し、１より小さいカバレッジ比率は、実際のカバレッジ距離が、期待されるカバレッジ距離より短いことを表す。
【０２８４】
受信ユニット２１は、ネットワークデバイスにより送信された時間‐周波数リソース指示メッセージを取得するようにさらに構成され、時間‐周波数リソース指示メッセージは、時間‐周波数リソースの位置に関する情報を含む。
【０２８５】
送信ユニット２３は、時間‐周波数リソースの位置に対応する時間‐周波数リソース上で、ネットワークデバイスに第２のメッセージを送信するように構成され、第２のメッセージが、期待されるカバレッジ性能に対する実際のカバレッジ性能のカバレッジ比率を運ぶことで、ネットワークデバイスは、カバレッジ比率に従って電力調整指示メッセージを生成し、第１のＤ２Ｄデバイスに電力調整指示メッセージを送信する。
【０２８６】
第２のＤ２Ｄデバイスは、ネットワークデバイスにカバレッジ比率をフィードバックする必要がある。ネットワークデバイスは、カバレッジ比率を運ぶ第２のメッセージが送信される時間‐周波数リソース上の位置を第２のＤ２Ｄデバイスに示す。第２のＤ２Ｄデバイスは、ネットワークデバイスにより送信された時間‐周波数リソース指示メッセージを取得する。指示メッセージは時間‐周波数リソースの位置を含む。第２のＤ２Ｄデバイスは、時間‐周波数リソースの位置に対応する時間‐周波数リソース上でネットワークデバイスに第２のメッセージを送信することで、ネットワークデバイスに第２のメッセージを確実に送信する。
【０２８７】
ブロードキャストシナリオにおいて、別のＤ２Ｄデバイスはまた、第１のＤ２Ｄデバイスにより送信された第１のメッセージを受信してもよい。各第２のＤ２Ｄデバイスは、第２のＤ２Ｄデバイスと第１のＤ２Ｄデバイスとの間の距離を取得できるが、第２のＤ２Ｄデバイスは、第２のＤ２Ｄデバイスと第１のＤ２Ｄデバイスとの間の距離が最も遠いか否かわからない、すなわち、計算によって第２のＤ２Ｄデバイスにより取得されたメッセージのカバレッジ比率が、全ての第２のＤ２Ｄデバイスの中で最大であるか否かわからない。シグナリングオーバーヘッド及び第２のＤ２Ｄデバイス間の距離の比較に起因する複雑性を低減すべく、分散競合比較及びフィードバックメカニズムが本発明の本実施形態において設計される。ネットワークデバイスは、第２のＤ２Ｄデバイス及び別のＤ２Ｄデバイスのカバレッジ性能フィードバックに用いられるフィードバックリソースプールを、第２のＤ２Ｄデバイス及び別のＤ２Ｄデバイスに設定し、時間‐周波数リソース指示メッセージを用いることにより第２のＤ２Ｄデバイスにフィードバックリソースプールに関する情報を示す。故に、第２のＤ２Ｄデバイスは、カバレッジ性能フィードバックに用いられることができるリソースプールに関する情報を取得できる。第２のメッセージが送信される時間‐周波数リソース上の位置はフィードバックリソースプールを構成する。
【０２８８】
必要に応じて、処理ユニット２２は、フィードバックリソースプール内の時間‐周波数リソースの位置を別のＤ２Ｄデバイスと競合するようにさらに構成される。
【０２８９】
送信ユニット２３は、競合によって取得した時間‐周波数リソースの位置に対応する時間‐周波数リソース上で、ネットワークデバイスに第２のメッセージを送信するように具体的に構成される。
【０２９０】
具体的には、処理ユニット２２が、フィードバックリソースプール内の時間‐周波数リソースの位置を別のＤ２Ｄデバイスと競合する段階を実行することは、
フィードバックリソースプール内の時間‐周波数リソースを競合するためにタイマを設定することであって、タイマのタイミング値は、独立変数がカバレッジ比率を表す単調減少関数の値である、ことと、
別のＤ２Ｄデバイスとともに一斉に時間を測定することを開始して、フィードバックリソースプール内の時間‐周波数リソースの位置を競合することであって、別のＤ２Ｄデバイスもタイマを設定する、ことと
第２のＤ２Ｄデバイスにより設定されたタイマが最初に満了した場合に、フィードバックリソースプール内の時間‐周波数リソースを競合によって取得することと
を含む。
【０２９１】
第１のＤ２Ｄデバイスから送信されたメッセージを正しくデコードした後、リソースプールの到着時に、第２のＤ２Ｄデバイスは、フィードバックタイマをそれぞれ開始する。ひとたび開始されると、複数のタイマは、同じ速度でカウントダウンする。ひとたびタイマがゼロに戻ると、メッセージがリソースプール内で送信され、タイマの値が−１に設定される。本明細書において、複数の第２のＤ２Ｄデバイスは、それぞれのフィードバックタイマの値をｆ（カバレッジ比率）に設定し、ここで、ｆ（）関数は、単調減少関数となることが要求される。故に、最大カバレッジ比率を有する第２のＤ２Ｄデバイスに対応するフィードバックタイマは最小値を有し、第２のＤ２Ｄデバイスは、リソースプール内のリソースを最初に入手でき、対応するカバレッジ比率及び第１のＤ２Ｄデバイスの識別子をブロードキャストできる。タイマがゼロに戻る前、全ての第２のＤ２Ｄデバイスはリソースプールにおけるリッスン状態である。ひとたび第２のＤ２Ｄデバイスがリソースを奪い取ったことを見つけると、他の第２のＤ２Ｄデバイスは、送信されたメッセージから第１のＤ２Ｄデバイスの識別子を解析することを試みる。メッセージに含まれる第１のＤ２Ｄデバイスの識別子が、予め受信したメッセージから取得した第１のＤ２Ｄデバイスの識別子と同じである場合、他の第２のＤ２Ｄデバイスは、タイマの値を−１に設定し、フィードバックを取りやめる。最大カバレッジ比率を有する第２のＤ２Ｄデバイスが最高の実際のカバレッジ性能を有する受信デバイスである。ネットワークデバイスは、最大カバレッジ比率を取得し、最大カバレッジ比率に従って電力調整指示メッセージを生成できる。この方法では、別のＤ２Ｄデバイスは、カバレッジ比率に関する情報をフィードバックする必要はなく、それにより、シグナリングオーバーヘッドを低減させる。
【０２９２】
ネットワークデバイスは、リソースプール全体においてリッスンを実行し、ひいては、第２のＤ２Ｄデバイスによりフィードバックされたカバレッジ性能情報を取得することもでき、カバレッジ性能情報は、第２のＤ２Ｄデバイスによりフィードバックされたカバレッジ比率及び対応する第１のＤ２Ｄデバイスの識別子に関する情報を含む。ネットワークデバイスは、どのように第１のＤ２Ｄデバイスの伝送電力を調整して電力制御指示メッセージを生成するかを、情報に従って決定できる。例えば、第２のＤ２Ｄデバイスによりフィードバックされたカバレッジ比率が１より大きい場合、第１のＤ２Ｄデバイスに設定された伝送電力が高く、適切に減少されるべきであると判断され得る。第２のＤ２Ｄデバイスによりフィードバックされたカバレッジ比率が１より小さい場合、第１のＤ２Ｄデバイスに設定された伝送電力が低く、適切に増加されるべきであると判断され得る。第２のＤ２Ｄデバイスによりフィードバックされたカバレッジ比率が１に等しい場合、第１のＤ２Ｄデバイスに設定された伝送電力が適切であり、調整する必要がないと判断され得る。電力制御指示メッセージはＮビットを含み、ここで、Ｎは正の整数であり、２Ｎの場合が示され得る。例えば、Ｎ＝３の場合、−４、−３、−２、−１、１、２、３及び４のような８つの場合が示されることができ、値は電力調整値を表し、単位はデシベル（ｄＢ）であってよい。
【０２９３】
本発明の本実施形態において提供される第２のユーザ直接接続通信デバイスによれば、第２のユーザ直接接続通信デバイスが、第１のユーザ直接接続通信デバイスの期待されるカバレッジ性能に対する、第２のユーザ直接接続通信デバイスに対する第１のユーザ直接接続通信デバイスの実際のカバレッジ性能のカバレッジ比率をネットワークデバイスに送信し、ネットワークデバイスが、カバレッジ比率に従って電力調整指示メッセージを生成し、第１のユーザ直接接続通信デバイスに電力調整指示メッセージを送信し、第１のユーザ直接接続通信デバイスが電力調整指示メッセージに従って伝送電力を制御することで、第１のユーザ直接接続通信デバイスは、第１のユーザ直接接続通信デバイスの実際のカバレッジ性能を期待されるカバレッジ性能と一致させるように、その伝送電力を適切に設定できる。さらに、ネットワークデバイスが時間‐周波数リソースプールをさらに設定し、複数の第２のユーザ直接接続通信デバイスが時間‐周波数リソースを競合することで、競合によって取得した時間‐周波数リソース上で第２のメッセージを送信する。さらに、タイマが設定されることで、第２のユーザ直接接続通信デバイスが時間‐周波数リソースを奪い取ったことをリッスンを通じて学習した場合に、全ての他の第２のユーザ直接接続通信デバイスは、第２のメッセージをフィードバックすることを取りやめてよく、それによりシグナリングオーバーヘッドを低減させる。
【０２９４】
図１１を参照すると、図１１は、本発明の実施形態に係るネットワークデバイスの概略構造図である。ネットワークデバイス３０００は、受信ユニット３１、処理ユニット３２、及び送信ユニット３３を含む。
【０２９５】
受信ユニット３１は、第２のＤ２Ｄデバイスにより送信された第２のメッセージを受信するように構成され、第２のメッセージは、第１のＤ２Ｄデバイスの期待されるカバレッジ性能に対する実際のカバレッジ性能のカバレッジ比率を運び、実際のカバレッジ性能は、第２のＤ２Ｄデバイスに対する第１のＤ２Ｄデバイスの実際のカバレッジ性能であり、期待されるカバレッジ性能は、第１のＤ２Ｄデバイスにより第１の伝送電力で第２のＤ２Ｄデバイスに送信される第１のメッセージを運ぶ。
【０２９６】
受信ユニット３１は、第１の伝送電力で第１のＤ２Ｄデバイスにより送信された第１のメッセージを受信する。第１のメッセージは第１のＤ２Ｄデバイスの期待されるカバレッジ性能を含む。ここで、期待されるカバレッジ性能は、期待されるカバレッジ距離、期待される受信レベル、又は期待される受信信号対干渉雑音比のうちのいずれか１つを含む。第１のメッセージを受信した後に、第２のＤ２Ｄデバイスは、第１のメッセージを解析して、第２のＤ２Ｄデバイスに対する第１のＤ２Ｄデバイスの実際のカバレッジ性能を取得する。実際のカバレッジ性能は、実際のカバレッジ距離、実際の受信レベル、又は実際の受信信号対干渉雑音比のうちのいずれか１つを同様に含んでよい。パラメータ、すなわちカバレッジ比率がここで定義される。カバレッジ比率は、期待されるカバレッジ性能に対する第２のＤ２Ｄデバイスの実際のカバレッジ性能の比として定義される。第１のメッセージのカバレッジが期待と一致するか否かはカバレッジ比率に従って取得され得る。第１のメッセージのカバレッジが期待と一致するか否かはカバレッジ比率を定義することでより少ないメッセージコンテンツで単純に反映され得る。
【０２９７】
必要に応じて、第２のメッセージは第１のＤ２Ｄデバイスの識別子をさらに含む。
【０２９８】
第２のＤ２Ｄデバイスはネットワークデバイスに第２のメッセージを送信し、第２のメッセージはカバレッジ比率を運ぶ。
【０２９９】
必要に応じて、送信ユニット３３は第２のＤ２Ｄデバイスに時間‐周波数リソース指示メッセージをさらに送信してよく、時間‐周波数リソース指示メッセージが時間‐周波数リソースの位置に関する情報を含むことで、第２のＤ２Ｄデバイスは、時間‐周波数リソースの位置に対応する時間‐周波数リソース上で、ネットワークデバイスに第２のメッセージを送信する。
【０３００】
必要に応じて、第１のＤ２Ｄデバイスが複数の第２のＤ２Ｄデバイスに第１のメッセージをブロードキャストするシナリオにおいて、処理ユニット３２は、複数の第２のＤ２Ｄデバイスに対するフィードバックリソースプールを設定するように構成される。フィードバックリソースプールは、１又は複数の時間‐周波数リソースの１つの位置又は複数の位置を含む。受信ユニット３１は、複数の第２のＤ２Ｄデバイスのうち、フィードバックリソースプール内の時間‐周波数リソースの位置を競合によって取得する第２のＤ２Ｄデバイスにより、競合によって取得した時間‐周波数リソース上で送信された第２のメッセージを受信するようにさらに構成される。
【０３０１】
処理ユニット３２は、カバレッジ比率に従って電力調整指示メッセージを生成するように構成される。
【０３０２】
処理ユニット３２は、受信したカバレッジ比率に従って第１のＤ２Ｄデバイスのための電力調整指示メッセージを生成する。具体的には、第２のＤ２Ｄデバイスによりフィードバックされたカバレッジ比率が１より大きい場合、ネットワークデバイスは、第１のＤ２Ｄデバイスに設定された第１の伝送電力が高く、適切に減少されるべきであると判断され得る。第２のＤ２Ｄデバイスによりフィードバックされたカバレッジ比率が１より小さい場合、ネットワークデバイスは、第１のＤ２Ｄデバイスに設定された第１の伝送電力が低く、適切に増加されるべきであると判断され得る。第２のＤ２Ｄデバイスによりフィードバックされたカバレッジ比率が１に等しい場合、ネットワークデバイスは、第１のＤ２Ｄデバイスに設定された伝送電力が適切であり、調整する必要がないと判断し得る。ネットワークデバイスは電力調整指示メッセージにこれらの結果を含める。
【０３０３】
電力調整指示メッセージは、伝送電力調整段階を含んでよく、又は、具体的な伝送電力値を含んでよい。電力調整指示メッセージは伝送電力調整段階を指示する情報を含む。伝送電力調整段階を指示する情報は、具体的にはＮビットであってよく、Ｎは正の整数であり、２Ｎの場合が示され得る。例えば、Ｎ＝３の場合、−４、−３、−２、−１、１、２、３及び４のような８つの場合が示されることができ、値は伝送電力調整段階値を表し、単位はデシベル（ｄＢ）であってよい。
【０３０４】
送信ユニット３３が第１のＤ２Ｄデバイスに電力調整指示メッセージを送信するように構成されることで、第１のＤ２Ｄデバイスは、電力調整指示メッセージに従って第２の伝送電力となるように第１のメッセージの伝送電力を調整する。
【０３０５】
送信ユニット３３は第１のＤ２Ｄデバイスに電力調整指示メッセージを送信する。第１のＤ２Ｄデバイスは、ネットワークデバイスにより送信された電力調整指示メッセージに従って第２の伝送電力となるように第１のメッセージの伝送電力を調整する。調整制御が実際のカバレッジ性能に従って伝送電力に実行され、ひいては、第１のＤ２Ｄデバイスの実際のカバレッジ性能が、期待されるカバレッジ性能と一致し得る。
【０３０６】
本発明の本実施形態において提供されるネットワークデバイスによれば、ネットワークデバイスが、第１のユーザ直接接続通信デバイスの期待されるカバレッジ性能に対する、第２のユーザ直接接続通信デバイスに対する第１のユーザ直接接続通信デバイスの実際のカバレッジ性能のカバレッジ比率に従って電力調整指示メッセージを生成し、第１のユーザ直接接続通信デバイスに電力調整指示メッセージを送信し、第１のユーザ直接接続通信デバイスが電力調整指示メッセージに従って伝送電力を制御することで、第１のユーザ直接接続通信デバイスは、第１のユーザ直接接続通信デバイスの実際のカバレッジ性能を期待されるカバレッジ性能と一致させるように、その伝送電力を適切に設定できる。
【０３０７】
図１２及び図１３を参照して、以下では、本発明において提供される電力制御シナリオの別のセットに関するデバイスが実施形態において詳細に説明される。
【０３０８】
図１２を参照すると、図１２は、本発明の実施形態に係る別の第１のＤ２Ｄデバイスの概略構造図である。第１のＤ２Ｄデバイス４０００は、送信ユニット４１、受信ユニット４２、及び処理ユニット４３を含む。
【０３０９】
送信ユニット４１は、第１の伝送電力で第２のＤ２Ｄデバイスに第１のメッセージを送信するように構成され、第１のメッセージが、期待されるカバレッジ性能に関する情報を運ぶことで、第２のＤ２Ｄデバイスは、第１のメッセージ、及び第２のＤ２Ｄデバイスに対する第１のＤ２Ｄデバイスの実際のカバレッジ性能に従って、第１のＤ２Ｄデバイスに第２のメッセージを送信し、第２のメッセージは、期待されるカバレッジ性能に対する実際のカバレッジ性能のカバレッジ比率を運ぶ。
【０３１０】
必要に応じて、受信ユニット４２は、ネットワークデバイスにより第１のＤ２Ｄデバイスに指示される時間‐周波数リソース指示を受信するように構成される。時間‐周波数リソース指示メッセージは時間‐周波数リソースの位置に関する情報を含む。送信ユニット４１は、時間‐周波数リソースの位置に対応する時間‐周波数リソース上において、第１の伝送電力で第２のＤ２Ｄデバイスに第１のメッセージを送信するように具体的に構成される。
【０３１１】
実際のカバレッジ性能は、実際のカバレッジ距離、実際の受信レベル、又は実際の受信信号対干渉雑音比のうちのいずれか１つを含む。期待されるカバレッジ性能は、期待されるカバレッジ距離、期待される受信レベル、又は期待される受信信号対干渉雑音比のうちのいずれか１つを含む。
【０３１２】
受信ユニット４２は、第２のＤ２Ｄデバイスにより送信された第２のメッセージを受信するように構成される。
【０３１３】
必要に応じて、第２のメッセージは、ネットワークデバイスにより第２のＤ２Ｄデバイスに指示される時間‐周波数リソース上で、第２のＤ２Ｄデバイスにより第１のＤ２Ｄデバイスに送信されてよい。
【０３１４】
必要に応じて、第１のＤ２Ｄデバイスが複数の第２のＤ２Ｄデバイスに第１のメッセージをブロードキャストするシナリオにおいて、第２のメッセージは、ネットワークデバイスのフィードバックリソースプール内の競合によって取得した時間‐周波数リソース上で、第２のＤ２Ｄデバイスにより第１のＤ２Ｄデバイスに送信されてよく、第２のＤ２Ｄデバイスは、フィードバックリソースプール内の時間‐周波数リソースを競合する複数の第２のＤ２Ｄデバイスの中で、時間‐周波数リソースを競合によって最初に取得する。
【０３１５】
処理ユニット４３は、カバレッジ比率に従って第２の伝送電力となるように第１のメッセージの伝送電力を調整するように構成される。
【０３１６】
処理ユニット４３が、カバレッジ比率に従って第２の伝送電力となるように第１のメッセージの伝送電力を調整する段階を実行することは、
カバレッジ比率に従って伝送電力調整段階を決定することと、
伝送電力調整段階に従って第２の伝送電力を取得し、第２の伝送電力で第１のメッセージを送信することであって、第２の伝送電力は、第１のＤ２Ｄデバイスの最大定格伝送電力と、第１の伝送電力及び伝送電力調整段階値の合計とのうち小さい方の電力値である、ことを含む。
【０３１７】
本実施形態において、第２のＤ２Ｄデバイスは第２のメッセージ内にカバレッジ比率を含める。第２のＤ２Ｄデバイスは第１のＤ２Ｄデバイスに第２のメッセージを送信する。第１のＤ２Ｄデバイスは、第２のＤ２Ｄデバイスにより送信された第２のメッセージを受信し、第２のメッセージ内のカバレッジ比率に従って第１のメッセージの伝送電力を調整する。他の実装処理について、例えば、第１のメッセージ及び第２のメッセージを送信する処理、カバレッジ比率を取得する処理、及び伝送電力を調整する処理は、実施形態の第１セットを参照する。
【０３１８】
本発明の本実施形態において提供される第１のＤ２Ｄデバイスによれば、第２のユーザ直接接続通信デバイスが、第１のユーザ直接接続通信デバイスの期待されるカバレッジ性能に対する、第２のユーザ直接接続通信デバイスに対する第１のユーザ直接接続通信デバイスの実際のカバレッジ性能のカバレッジ比率を取得し、第１のユーザ直接接続通信デバイスにカバレッジ比率をフィードバックし、第１のユーザ直接接続通信デバイスがカバレッジ比率に従って第１のメッセージの伝送電力を調整することで、第１のユーザ直接接続通信デバイスは、第１のユーザ直接接続通信デバイスの実際のカバレッジ性能を期待されるカバレッジ性能と一致させるように、その伝送電力を適切に設定できる。
【０３１９】
図１３を参照すると、図１３は、本発明の実施形態に係る別の第２のＤ２Ｄデバイスの概略構造図である。第２のＤ２Ｄデバイス５０００は、
第１の伝送電力で第１のＤ２Ｄデバイスにより送信された第１のメッセージを受信するように構成される受信ユニット５１であって、第１のメッセージは、第１のＤ２Ｄデバイスの期待されるカバレッジ性能に関する情報を運ぶ、受信ユニット５１と、
第２のＤ２Ｄデバイスに対する第１のＤ２Ｄデバイスの実際のカバレッジ性能を取得するように構成される処理ユニット５２と、
第１のＤ２Ｄデバイスに第２のメッセージを送信するように構成される送信ユニット５３であって、第２のメッセージは、期待されるカバレッジ性能に対する実際のカバレッジ性能のカバレッジ比率を運ぶ、送信ユニット５３と
を含む。
【０３２０】
必要に応じて、処理ユニット５２は、ネットワークデバイスにより送信された時間‐周波数リソース指示メッセージを取得するようにさらに構成され、時間‐周波数リソース指示メッセージは、第２のメッセージが送信される時間‐周波数リソース上の位置に関する情報を含む。送信ユニット５３は、時間‐周波数リソースの位置に対応する時間‐周波数リソース上で、第１のＤ２Ｄデバイスに第２のメッセージを送信するように具体的に構成される。
【０３２１】
必要に応じて、別のＤ２Ｄデバイスが第１のＤ２Ｄデバイスにより送信された第１のメッセージも受信するシナリオにおいて、時間‐周波数リソース指示メッセージは、第２のＤ２Ｄデバイス及び別のＤ２Ｄデバイスのためにネットワークデバイスにより設定されたフィードバックリソースプールを含む。フィードバックリソースプールは、少なくとも１つの時間‐周波数リソースの位置を含む。
【０３２２】
処理ユニット５２は、フィードバックリソースプール内の時間‐周波数リソースの位置を別のＤ２Ｄデバイスと競合するようにさらに構成され、第２のメッセージが送信される時間‐周波数リソース上の位置に関する情報は、第２のメッセージが送信される少なくとも１つの時間‐周波数リソース上の位置に関する情報であり、第２のメッセージが送信される時間‐周波数リソースの位置はフィードバックリソースプールを構成する。
【０３２３】
送信ユニット５３は、競合によって取得した時間‐周波数リソースの位置に対応する時間‐周波数リソース上で、第１のＤ２Ｄデバイスに第２のメッセージを送信するように具体的に構成される。
【０３２４】
具体的には、処理ユニット５２が、フィードバックリソースプール内の時間‐周波数リソースの位置を別のＤ２Ｄデバイスと競合する段階を実行することは、
フィードバックリソースプール内の時間‐周波数リソースを競合するためにタイマを設定することであって、タイマのタイミング値は、独立変数がカバレッジ比率を表す単調減少関数の値である、ことと、
別のＤ２Ｄデバイスとともに一斉に時間を測定することを開始して、フィードバックリソースプール内の時間‐周波数リソースの位置を競合することであって、別のＤ２Ｄデバイスもタイマを設定する、ことと、
第２のＤ２Ｄデバイスにより設定されたタイマが最初に満了した場合に、第２のＤ２Ｄデバイスにより、フィードバックリソースプール内の時間‐周波数リソースを競合によって取得することと
を含む。
【０３２５】
本実施形態において、第２のＤ２Ｄデバイスは第２のメッセージ内にカバレッジ比率を含める。第２のＤ２Ｄデバイスは第１のＤ２Ｄデバイスに第２のメッセージを送信する。第１のＤ２Ｄデバイスは、第２のＤ２Ｄデバイスにより送信された第２のメッセージを受信し、第２のメッセージ内のカバレッジ比率に従って第１のメッセージの伝送電力を調整する。他の実装処理について、例えば、第１のメッセージ及び第２のメッセージを送信する処理、カバレッジ比率を取得する処理、伝送電力を調整する処理は、実施形態の第１セットを参照する。
【０３２６】
本発明の本実施形態において提供される第２のユーザ直接接続通信デバイスによれば、第２のユーザ直接接続通信デバイスが、第１のユーザ直接接続通信デバイスの期待されるカバレッジ性能に対する、第２のユーザ直接接続通信デバイスに対する第１のユーザ直接接続通信デバイスの実際のカバレッジ性能のカバレッジ比率を取得し、第１のユーザ直接接続通信デバイスにカバレッジ比率をフィードバックし、第１のユーザ直接接続通信デバイスがカバレッジ比率に従って第１のメッセージの伝送電力を調整することで、第１のユーザ直接接続通信デバイスは、第１のユーザ直接接続通信デバイスの実際のカバレッジ性能を期待されるカバレッジ性能と一致させるように、その伝送電力を適切に設定できる。
【０３２７】
図１４を参照すると、図１４は、本発明の実施形態に係るさらに別の第１のユーザ直接接続通信デバイスの概略構造図である。図１４に示されるように、第１のＤ２Ｄデバイス６０００は、
入力装置６１、出力装置６２、メモリ６３、及びプロセッサ６４を含んでよい（第１のＤ２Ｄデバイス内に１又は複数のプロセッサ６４があってよく、図１４では、１つのプロセッサが例として用いられる）。本発明のいくつかの実施形態において、入力装置６１、出力装置６２、メモリ６３、及びプロセッサ６４は、バスを用いることにより又は別の方式で接続されてよい。図１４では、バス接続が例として用いられる。
【０３２８】
第１のＤ２Ｄデバイス６０００が動作している場合に、プロセッサ６４は、図２、図３、又は図７のいずれか１つに対応する方法の実施形態における方法の処理を実行してよい。
【０３２９】
本発明の本実施形態における第１のユーザ直接接続通信デバイスによれば、ネットワークデバイスが、第１のユーザ直接接続通信デバイスの期待されるカバレッジ性能に対する、第２のユーザ直接接続通信デバイスに対する第１のユーザ直接接続通信デバイスの実際のカバレッジ性能のカバレッジ比率に従って電力調整指示メッセージを生成し、第１のユーザ直接接続通信デバイスに電力調整指示メッセージを送信し、第１のユーザ直接接続通信デバイスが電力調整指示メッセージに従って伝送電力を制御することで、第１のユーザ直接接続通信デバイスは、第１のユーザ直接接続通信デバイスの実際のカバレッジ性能を期待されるカバレッジ性能と一致させるように、その伝送電力を適切に設定できる。さらに、第１のユーザ直接接続通信デバイスは、ネットワークデバイスにより指示される時間‐周波数リソース上で第１のメッセージを送信する。これは、別の第１のユーザ直接接続通信デバイスとの時間‐周波数リソース衝突により引き起こされる第２のユーザ直接接続通信デバイスによる第１のメッセージの受信に対する伝送障害又は干渉を回避できる。
【０３３０】
図１５を参照すると、図１５は、本発明の実施形態に係るさらに別の第２のＤ２Ｄデバイスの概略構造図である。図１５に示されるように、第２のＤ２Ｄデバイス７０００は、
入力装置７１、出力装置７２、メモリ７３、及びプロセッサ７４を含んでよい（第２のＤ２Ｄデバイス内に１又は複数のプロセッサ７４があってよく、図１５では、１つのプロセッサが例として用いられる）。本発明のいくつかの実施形態において、入力装置７１、出力装置７２、メモリ７３、及びプロセッサ７４は、バスを用いることにより又は別の方式で接続されてよい。図１５では、バス接続が例として用いられる。
【０３３１】
第２のＤ２Ｄデバイス７０００が動作している場合に、プロセッサ７４は、図４、図５、又は図８のいずれか１つに対応する方法の実施形態における方法の処理を実行してよい。
【０３３２】
本発明の本実施形態において提供される第２のユーザ直接接続通信デバイスによれば、第２のユーザ直接接続通信デバイスが、第１のユーザ直接接続通信デバイスの期待されるカバレッジ性能に対する、第２のユーザ直接接続通信デバイスに対する第１のユーザ直接接続通信デバイスの実際のカバレッジ性能のカバレッジ比率をネットワークデバイスに送信し、ネットワークデバイスが、カバレッジ比率に従って電力調整指示メッセージを生成し、第１のユーザ直接接続通信デバイスに電力調整指示メッセージを送信し、第１のユーザ直接接続通信デバイスが電力調整指示メッセージに従って伝送電力を制御することで、第１のユーザ直接接続通信デバイスは、第１のユーザ直接接続通信デバイスの実際のカバレッジ性能を期待されるカバレッジ性能と一致させるように、その伝送電力を適切に設定できる。さらに、ネットワークデバイスが時間‐周波数リソースプールをさらに設定し、複数の第２のユーザ直接接続通信デバイスが時間‐周波数リソースを競合することで、競合によって取得した時間‐周波数リソース上で第２のメッセージを送信する。さらに、タイマが設定されることで、第２のユーザ直接接続通信デバイスが時間‐周波数リソースを奪い取ったことをリッスンを通じて学習した場合に、全ての他の第２のユーザ直接接続通信デバイスは、第２のメッセージをフィードバックすることを取りやめてよく、それによりシグナリングオーバーヘッドを低減させる。
【０３３３】
図１６を参照すると、図１６は、本発明の実施形態に係る別のネットワークデバイスの概略構造図である。図１６に示されるように、ネットワークデバイス８０００は、
入力装置８１、出力装置８２、メモリ８３、及びプロセッサ８４を含んでよい（ネットワークデバイス内に１又は複数のプロセッサ８４があってよく、図１６では、１つのプロセッサが例として用いられる）。本発明のいくつかの実施形態において、入力装置８１、出力装置８２、メモリ８３、及びプロセッサ８４は、バスを用いることにより又は別の方式で接続されてよい。図１６では、バス接続が例として用いられる。
【０３３４】
ネットワークデバイス８０００が動作している場合に、プロセッサ８４は、図６に対応する方法の実施形態における方法の処理を実行してよい。
【０３３５】
本発明の本実施形態において提供されるネットワークデバイスによれば、ネットワークデバイスが、第１のユーザ直接接続通信デバイスの期待されるカバレッジ性能に対する、第２のユーザ直接接続通信デバイスに対する第１のユーザ直接接続通信デバイスの実際のカバレッジ性能のカバレッジ比率に従って電力調整指示メッセージを生成し、第１のユーザ直接接続通信デバイスに電力調整指示メッセージを送信し、第１のユーザ直接接続通信デバイスが電力調整指示メッセージに従って伝送電力を制御することで、第１のユーザ直接接続通信デバイスは、第１のユーザ直接接続通信デバイスの実際のカバレッジ性能を期待されるカバレッジ性能と一致させるように、その伝送電力を適切に設定できる。
【０３３６】
簡潔に説明するために、前述の方法の実施形態は、一連の動作として表されていることに留意すべきである。しかしながら、本発明によれば、いくつかの段階が他の順序で、又は同時に実行されてよいので、当業者は、本発明が説明された動作の順序に限定されるものではないことを理解すべきである。さらに、当業者は、明細書で説明された全ての実施形態が実施形態の例であり、関連する動作及びモジュールが必ずしも本発明に必須ではないことも理解すべきである。
【０３３７】
前述の実施形態において、各実施形態の説明はそれぞれ重点が置かれている。実施形態において詳細に説明されていない部分について、関連する他の実施形態における説明に対して参照が行われてよい。
【０３３８】
本発明の実施形態における方法の段階の順序は調整されてよく、特定の段階は、実際の必要性に従って統合又は除去されてもよい。
【０３３９】
統合、分割、及び除去することは、実際の必要性に従って本発明の実施形態におけるユニット上で実行されてよい。当業者は、異なる実施形態及び本明細書で説明された異なる実施形態の特徴を組み合わせてよい。
【０３４０】
前述の実施形態の説明を用いて、当業者は、本発明がハードウェア、ファームウェア、又はこれらの組み合わせにより実装され得ることを明確に理解し得る。本発明がソフトウェアにより実装される場合、前述の機能は、コンピュータ可読媒体内に格納され得る、又はコンピュータ可読媒体において１又は複数の命令又はコードとして伝送され得る。コンピュータ可読媒体は、コンピュータ記憶媒体及び通信媒体を含み、通信媒体は、ある場所から別の場所にコンピュータプログラムを伝送できるようにする任意の媒体を含む。記憶媒体は、コンピュータにアクセス可能な任意の利用可能媒体であってよい。以下は、限定されるものではなく、例としてみなされる。コンピュータ可読媒体は、ランダムアクセスメモリ（Ｒａｎｄｏｍ  Ａｃｃｅｓｓ  Ｍｅｍｏｒｙ、ＲＡＭ）、リードオンリメモリ（Ｒｅａｄ−Ｏｎｌｙ  Ｍｅｍｏｒｙ、ＲＯＭ）、電気的消去可能プログラマブルリードオンリメモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、ＥＥＰＲＯＭ）、コンパクトディスク・リードオンリメモリ（Ｃｏｍｐａｃｔ  Ｄｉｓｃ  Ｒｅａｄ−Ｏｎｌｙ  Ｍｅｍｏｒｙ、ＣＤ‐ＲＯＭ）又は他の光ディスクストレージ、ディスク記憶媒体又は他のディスクストレージ、若しくは、コマンド又はデータ構造形式で期待されるプログラムコードを運ぶ又は格納することに用いられることができ、かつ、コンピュータによりアクセスされることができる任意の他の媒体を含んでよい。さらに、任意の接続がコンピュータ可読媒体として適切に定義されてよい。例えば、同軸ケーブル、光ファイバ／ケーブル、ツイストペア、デジタル加入者線（デジタル加入者線、ＤＳＬ）、又は、赤外線、無線及びマイクロ波のような無線技術を用いることにより、ウェブサイト、サーバ、又は、別の遠隔ソースからソフトウェアが伝送される場合、当該同軸ケーブル、光ファイバ／ケーブル、ツイストペア、ＤＳＬ、又は、赤外線、無線及びマイクロ波のような無線技術は、それらが属する媒体の定義に含まれる。例えば、本発明により用いられるディスク（Ｄｉｓｋ）及びディスク（Ｄｉｓｃ）は、コンパクトディスク（ＣＤ）、レーザディスク、光ディスク、デジタル多用途ディスク（ＤＶＤ）、フロッピ（登録商標）ディスク、及びブルーレイディスク（登録商標）を含み、ディスク（Ｄｉｓｋ）は、磁気手段によりデータを概してコピーし、ディスク（Ｄｉｓｃ）は、レーザ手段によりデータを光学的にコピーする。前述の組み合わせは、コンピュータ可読媒体の保護範囲にも含まれるべきである。
【０３４１】
最後に、前述の説明は、単に、本発明の技術的解決手段の実施形態の例に過ぎず、本発明の保護範囲を制限することが意図されているわけではない。本発明の主旨及び原則から逸脱することなく行われる任意の変更、同等の置換、又は改良が本発明の保護範囲に含まれるものとする。
【図１】
0006498307.tif 000002
【図２】
0006498307.tif 000003
【図３】
0006498307.tif 000004
【図４】
0006498307.tif 000005
【図５】
0006498307.tif 000006
【図６】
0006498307.tif 000007
【図７】
0006498307.tif 000008
【図８】
0006498307.tif 000009
【図９】
0006498307.tif 000010
【図１０】
0006498307.tif 000011
【図１１】
0006498307.tif 000012
【図１２】
0006498307.tif 000013
【図１３】
0006498307.tif 000014
【図１４】
0006498307.tif 000015
【図１５】
0006498307.tif 000016
【図１６】
0006498307.tif 000017